(57)【要約】【課題】放送で伝送されるシグナリング情報のデータサイズの増大を抑えることができるようにする。【解決手段】IP伝送方式を用いたデジタル放送の放送波で伝送される放送コンポーネントのみを管理するための情報であって、デジタル放送の放送波で伝送される第１のシグナリング情報、又は、放送コンポーネント及び通信で伝送される通信コンポーネントの少なくとも一方のコンポーネントを管理するための情報であって、通信で伝送される第２のシグナリング情報に基づいて、放送コンポーネント及び通信コンポーネントの少なくとも一方のコンポーネントを取得するための各部の動作を制御する制御部を備える受信装置が提供される。本技術は、例えば、テレビジョン受像機に適用することができる。【選択図】図３５
2019161656.tif 000002
【特許請求の範囲】
【請求項１】
IP(Internet Protocol)伝送方式を用いたデジタル放送の放送波を受信する受信部と、
前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作を制御する制御部と
を備える受信装置。
【請求項２】
受信装置の受信方法において、
前記受信装置が、
IP伝送方式を用いたデジタル放送の放送波を受信し、
前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作を制御する
ステップを含む受信方法。
【請求項３】
IP伝送方式を用いたデジタル放送の放送波で伝送される放送コンポーネントのみを管理するための第１のシグナリング情報を取得する第１の取得部と、
サービスを構成する１又は複数の放送コンポーネントを取得する第２の取得部と、
前記放送コンポーネントとともに、前記第１のシグナリング情報を、IP伝送方式を用いたデジタル放送の放送波で送信する送信部と
を備える送信装置。
【請求項４】
送信装置の送信方法において、
前記送信装置が、
IP伝送方式を用いたデジタル放送の放送波で伝送される放送コンポーネントのみを管理するための第１のシグナリング情報を取得し、
サービスを構成する１又は複数の放送コンポーネントを取得し、
前記放送コンポーネントとともに、前記第１のシグナリング情報を、IP伝送方式を用いたデジタル放送の放送波で送信する
ステップを含む送信方法。
【発明の詳細な説明】
【技術分野】
【０００１】
本技術は、受信装置、受信方法、送信装置、及び、送信方法に関し、特に、放送で伝送されるシグナリング情報のデータサイズの増大を抑えることができるようにした受信装置、受信方法、送信装置、及び、送信方法に関する。
【背景技術】
【０００２】
近年、デジタル放送の分野においては、放送を利用したサービスだけでなく、通信と連携したハイブリッド型のサービスの導入が進められている（例えば、特許文献１参照）。このようなハイブリッド型のサービスでは、当該サービスを提供するためのビデオやオーディオ、字幕などのコンポーネントをストリームとして、放送又は通信のいずれかを用いて伝送することになる。
【先行技術文献】
【特許文献】
【０００３】
【特許文献１】特開２０１１−６６５５６号公報
【発明の概要】
【発明が解決しようとする課題】
【０００４】
ところで、ハイブリッド型のサービスが導入されると、放送と通信に関する情報を、シグナリング情報に記述する必要が出てくるため、放送で伝送されるシグナリング情報のデータサイズが増大することが想定されている。そのため、放送で伝送されるシグナリング情報のデータサイズを抑えたいという要求がある。
【０００５】
本技術はこのような状況に鑑みてなされたものであり、放送で伝送されるシグナリング情報のデータサイズの増大を抑えることができるようにするものである。
【課題を解決するための手段】
【０００６】
本技術の第１の側面の受信装置は、IP(Internet Protocol)伝送方式を用いたデジタル放送の放送波を受信する受信部と、前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作を制御する制御部とを備える受信装置である。
【０００７】
受信装置は、独立した装置であってもよいし、１つの装置を構成している内部ブロックであってもよい。
【０００８】
本技術の第１の側面の受信方法は、本技術の第１の側面の受信装置に対応する受信方法である。
【０００９】
本技術の第１の側面の受信装置、及び、受信方法においては、IP伝送方式を用いたデジタル放送の放送波が受信され、前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作が制御される。
【００１０】
本技術の第２の側面の送信装置は、IP伝送方式を用いたデジタル放送の放送波で伝送される放送コンポーネントのみを管理するための第１のシグナリング情報を取得する第１の取得部と、サービスを構成する１又は複数の放送コンポーネントを取得する第２の取得部と、前記放送コンポーネントとともに、前記第１のシグナリング情報を、IP伝送方式を用いたデジタル放送の放送波で送信する送信部とを備える送信装置である。
【００１１】
送信装置は、独立した装置であってもよいし、１つの装置を構成している内部ブロックであってもよい。
【００１２】
本技術の第２の側面の送信方法は、本技術の第２の側面の送信装置に対応する送信方法である。
【００１３】
本技術の第２の側面の送信装置、及び、送信方法においては、IP伝送方式を用いたデジタル放送の放送波で伝送される放送コンポーネントのみを管理するための第１のシグナリング情報が取得され、サービスを構成する１又は複数の放送コンポーネントが取得され、前記放送コンポーネントとともに、前記第１のシグナリング情報が、IP伝送方式を用いたデジタル放送の放送波で送信される。
【発明の効果】
【００１４】
本技術の第１の側面及び第２の側面によれば、放送で伝送されるシグナリング情報のデータサイズの増大を抑えることができる。
【００１５】
なお、ここに記載された効果は必ずしも限定されるものではなく、本開示中に記載されたいずれかの効果であってもよい。
【図面の簡単な説明】
【００１６】
【図１】IP伝送方式のデジタル放送のプロトコルスタックを示す図である。
【図２】IP伝送方式のデジタル放送の放送波の構成を示す図である。
【図３】ソリューション１のシグナリング情報の構造を示す図である。
【図４】ソリューション１によるベーシックサービスの選局シナリオを説明する図である。
【図５】ソリューション１によるハイブリッドサービスの選局シナリオを説明する図である。
【図６】ソリューション２のシグナリング情報の構造を示す図である。
【図７】ソリューション２によるベーシックサービスの選局シナリオを説明する図である。
【図８】ソリューション２によるハイブリッドサービスの選局シナリオを説明する図である。
【図９】ベーシックサービスからハイブリッドサービスに遷移する場合のシナリオを説明するための図である。
【図１０】ハイブリッドサービスで、ストリームの取得先が変更される場合のシナリオを説明するための図である。
【図１１】ハイブリッドサービスで、ストリームの取得先が変更される場合の他のシナリオを説明するための図である。
【図１２】ハイブリッドサービスからベーシックサービスに遷移する場合のシナリオを説明するための図である。
【図１３】ハイブリッドサービスからベーシックサービスに遷移する場合の他のシナリオを説明するための図である。
【図１４】ソリューション１，２で共通のSCDのシンタックスを示す図である。
【図１５】ソリューション１のSPDを示す図である。
【図１６】ソリューション２のSPDを示す図である。
【図１７】ComponentLocation要素の詳細を示す図である。
【図１８】ソリューション１，２で共通のSPDを示す図である。
【図１９】Protocol Version Descriptorのシンタックスを示す図である。
【図２０】NRT Service Descriptorのシンタックスを示す図である。
【図２１】Capability Descriptorのシンタックスを示す図である。
【図２２】Icon Descriptorのシンタックスを示す図である。
【図２３】ISO-639 Language Descriptorのシンタックスを示す図である。
【図２４】Receiver Targeting Descriptorのシンタックスを示す図である。
【図２５】Associated Service Descriptorのシンタックスを示す図である。
【図２６】Content Advisory Descriptorのシンタックスを示す図である。
【図２７】AVC Video Descriptorのシンタックスを示す図である。
【図２８】HEVC Video Descriptorのシンタックスを示す図である。
【図２９】MPEG4 AAC Audio Descriptorのシンタックスを示す図である。
【図３０】AC3 Audio Descriptorのシンタックスを示す図である。
【図３１】Caption Parametersのシンタックスを示す図である。
【図３２】放送通信システムの構成例を示す図である。
【図３３】送信装置の構成例を示す図である。
【図３４】インターネットサーバの構成例を示す図である。
【図３５】受信装置の構成例を示す図である。
【図３６】送信処理を説明するフローチャートである。
【図３７】ストリーミング配信処理を説明するフローチャートである。
【図３８】シグナリング情報提供処理を説明するフローチャートである。
【図３９】選局処理を説明するフローチャートである。
【図４０】コンピュータの構成例を示す図である。
【発明を実施するための形態】
【００１７】
以下、図面を参照しながら本技術の実施の形態について説明する。なお、説明は以下の順序で行うものとする。
【００１８】
１．IP伝送方式によるデジタル放送の概要
２．ソリューション１
（１）シグナリング情報の構造
（２）具体的な運用例
３．ソリューション２
（１）シグナリング情報の構造
（２）具体的な運用例
４．ソリューション１，２で共通
（１）シグナリング情報の構造
（２）具体的な運用例
５．シンタックス
（１）SCDのシンタックス
（２）SPDのシンタックス
６．システム構成
７．各装置で実行される処理の流れ
８．コンピュータの構成
【００１９】
＜１．IP伝送方式によるデジタル放送の概要＞
【００２０】
（プロトコルスタック）
図１は、IP伝送方式のデジタル放送のプロトコルスタックを示す図である。
【００２１】
図１に示すように、最も下位の階層は、物理層(Physical Layer)とされ、サービス（チャンネル）のために割り当てられた放送波の周波数帯域がこれに対応する。物理層に隣接する上位の階層は、BBPストリーム(Base Band Packet Stream)を挟んでIP層とされる。BBPストリームは、IP伝送方式における各種のデータを格納したパケットを含むストリームである。
【００２２】
IP層は、TCP/IPのプロトコルスタックにおけるIP(Internet Protocol)に相当するものであり、IPアドレスによりIPパケットが特定される。IP層に隣接する上位階層はUDP層とされ、さらにその上位の階層は、RTP，FLUTE/ALSとされる。すなわち、IP伝送方式のデジタル放送においては、UDP(User Datagram Protocol)のポート番号が指定されたパケットが送信され、例えばRTP(Real-time Transport Protocol)セッションやFLUTE(File Delivery over Unidirectional Transport)セッションが確立されるようになされている。
【００２３】
FLUTE/ALSに隣接する上位階層は、fMP4(Fragmented MP4)とされ、さらに、RTP，fMP4に隣接する上位階層は、ビデオデータ(Video)、オーディオデータ(Audio)、字幕データ(Closed Caption)等とされる。すなわち、ビデオデータやオーディオデータを、ストリーム形式で伝送する場合には、RTPセッションが利用され、ビデオデータやオーディオデータを、ファイル形式で伝送する場合には、FLUTEセッションが利用される。
【００２４】
また、FLUTE/ALSの上位階層は、NRTコンテンツ(NRT Content)，ESG，SCSとされ、NRTコンテンツ，ESG，SCSは、FLUTEセッションにより伝送される。NRTコンテンツは、NRT(Non-RealTime)放送で伝送されるコンテンツであって、受信機のストレージに一旦蓄積された後で再生が行われる。なお、NRTコンテンツは、コンテンツの一例であって、他のコンテンツのファイルがFLUTEセッションにより伝送されるようにしてもよい。ESG(Electronic Service Guide)は、電子サービスガイドである。
【００２５】
SCS(Service Channel Signaling)は、サービス単位のシグナリング情報であって、FLUTEセッションにより伝送される。例えば、SCSとしては、USD(User Service Description)，MPD(Media Presentation Description)，SDP(Session Description Protocol)，FDD(File Delivery Description)，SPD(Service Parameter Description)，IS(Initialization Segment)などが伝送される。
【００２６】
LLS(Low Layer Signaling)は、低レイヤのシグナリング情報であって、BBPストリーム上で伝送される。例えば、LLSとしては、SCD(Service Configuration Description)、EAD(Emergency Alerting Description)、及び、RRD(Region Rating Description)などのサービス構成情報(Service Configuration Information)が伝送される。
【００２７】
（IP伝送方式の放送波の構成）
図２は、IP伝送方式のデジタル放送の放送波の構成を示す図である。
【００２８】
図２に示すように、所定の周波数帯域を有する放送波(RF Channel)には、複数のBBPストリームが伝送されている。また、各BBPストリームには、NTP(Network Time Protocol)、複数のサービスチャンネル(Service Channel)、電子サービスガイド(ESG Service)、及び、LLSが含まれる。なお、NTP，サービスチャンネル，電子サービスガイドは、UDP/IPのプロトコルに従って伝送されるが、LLSは、BBPストリーム上で伝送される。また、NTPは、時刻情報であって、複数のサービスチャンネルで共通とすることができる。
【００２９】
各サービスチャンネル（以下、「サービス」という。）には、ビデオやオーディオ、字幕等の番組を構成する情報であるコンポーネント(Component)と、USDやSPD等のSCSが含まれる。また、各サービスには、共通のIPアドレスが付与されており、このIPアドレスを用いて、１又は複数のサービスごとに、コンポーネントやSCSなどをパッケージ化することができる。
【００３０】
ここで、所定の周波数帯域を有する放送波(RF Channel)には、RFチャンネルID(RF_channel_id)が割り当てられている。また、各放送波で伝送される１又は複数のBBPストリームには、BBPストリームID(BBP_stream_id)が割り当てられる。さらに、各BBPストリームで伝送される１又は複数のサービスには、サービスID(service_id)が割り当てられる。
【００３１】
このように、IP伝送方式のID体系としては、MPEG2-TS(Moving Picture Expert Group 2 - Transport Stream)方式で用いられているネットワークID(network_id)，トランスポートストリームID(transport_stream_id)，サービスID(service_id)の組み合わせ（以下、「トリプレット(Triplet)」という。）に対応する構成が採用され、このトリプレットによって、放送ネットワーク内のBBPストリーム構成とサービス構成が示される。
【００３２】
このようなID体系を用いることで、現在広く普及しているMPEG2-TS方式との整合をとることができるため、例えば、MPEG2-TS方式からIP伝送方式への移行時のサイマルキャストに容易に対応することが可能となる。ただし、IP伝送方式のID体系では、RFチャンネルIDとBBPストリームIDが、MPEG2-TS方式におけるネットワークIDとトランスポートストリームIDに相当している。
【００３３】
＜２．ソリューション１＞
【００３４】
ところで、IP伝送方式のデジタル放送において、ハイブリッド型のサービスが導入されると、放送と通信に関する情報をシグナリング情報に記述する必要が出てくるため、放送で伝送されるシグナリング情報のデータサイズが増大することが想定され、そのデータサイズを抑えたいという要求がある。そこで、そのような要求を解決するための手法として、本技術では、ソリューション１と、ソリューション２の２つの解決手法を提案する。ここでは、まず、ソリューション１から説明する。
【００３５】
（１）シグナリング情報の構造
図３は、ソリューション１のシグナリング情報の構造を示す図である。図３においては、図中の縦方向の太線で示す境界線の左側の領域と右側の領域で、シグナリング情報とコンポーネントの取得先が異なっており、左側の領域は、取得先が放送となる「放送取得」を表し、右側の領域は、取得先が通信となる「通信取得」を表している。
【００３６】
図中の左側の領域の放送取得とされるシグナリング情報としては、LLS(Low Layer Signaling)とSCS(Service Channel Signaling)がある。LLSは、受信機が初期スキャンを行った場合などに取得される。LLSとしては、SCD，EAD，RRDが取得される。SCD(Service Configuration Description)は、MPEG2-TS方式で用いられているトリプレットを採用し、このトリプレットによって、放送ネットワーク内のBBPストリーム構成とサービス構成が示される。また、SCDには、サービス単位の属性・設定情報としてのIPアドレス等の情報、SCSやESGを取得するためのbootstrap情報などが含まれる。さらにまた、SCDには、シグナリング情報が通信で伝送される場合には、通信で伝送されるシグナリング情報に関する情報が含まれる。
【００３７】
EAD(Emergency Alerting Description)は、緊急告知に関する情報を含んでいる。RRD(Region Rating Description)は、レーティング情報を含んでいる。なお、SCD，EAD，RRDは、例えば、XML(Extensible Markup Language)等のマークアップ言語により記述される。
【００３８】
SCSは、FLUTEセッションで伝送されているので、SCDのSCS bootstrap情報に記述されたIPアドレス、ポート番号、及び、TSIに従い、取得される。SCSとしては、USD，MPD，SDP，FDD，SPD，ISが取得される。USD(User Service Description)は、MPD，SDP，FDDを参照するためのリンク情報を含んでいる。なお、USDは、USBD(User Service Bundle Description)と称される場合がある。MPD(Media Presentation Description)は、サービス単位で伝送されるストリーム(コンポーネント)ごとのURL(Uniform Resource Locator)などの情報を含んでいる。なお、MPDは、MPEG-DASH(Moving Picture Expert Group - Dynamic Adaptive Streaming over HTTP)の規格に準じている。
【００３９】
SDP(Session Description Protocol)は、サービス単位のサービス属性、コンポーネントの構成情報、コンポーネント属性、コンポーネントのフィルタ情報、コンポーネントのロケーション情報などを含んでいる。FDD（File Delivery Description）は、TSI(Transport Session Identifier)ごとのインデックス情報として、ロケーション情報（例えばURLなど）やTOI（Transport Object Identifier）などの情報を含んでいる。なお、FDDは、USDに要素として含めるようにしてもよい。
【００４０】
SPD(Service Parameter Description)は、サービスのレベルで規定された各種のパラメータを含んで構成される。また、SPDには、シグナリング情報が通信で伝送される場合には、通信で伝送されるシグナリング情報に関する情報が含まれる。IS(Initialization Segment)は、コンポーネント(のファイル)を、ISO Base Media File Formatの規格に準じたセグメントごとに分割して伝送する場合に、そのセグメントデータを格納したメディアセグメント(Media Segment)とともに伝送される制御情報である。なお、ISは、ビデオやオーディオ等のコンポーネント単位で伝送される。
【００４１】
そして、ビデオやオーディオ等のコンポーネントがストリームとして、セグメント単位で、FLUTEセッションにより放送で伝送される場合、SDPやFDD，IS等のシグナリング情報を用いることで、FLUTEセッションにより伝送されるセグメントが特定され、放送コンポーネント(Component)が取得されることになる。
【００４２】
一方、図中の右側の通信取得とされるシグナリング情報としては、USD，MPD，SDP，FDD，SPD，ISが取得される。すなわち、通信で伝送されるシグナリング情報は、放送取得のSCSと同一のシグナリング体系とされる。このシグナリング情報は、放送で伝送されるSCDに記述されるシグナリングサーバのURLに従い、取得される。また、放送で取得されるSPDには、シグナリング情報が通信で伝送されている場合、シグナリング情報を提供するシグナリングサーバのURLが記述されるので、当該URLに従い、シグナリング情報が取得されるようにしてもよい。すなわち、SCDは、初期スキャン時などに取得されるため、SCDに記述されたURLは、静的なURL（Fixed URL）である一方、SPDは、選局時などに取得されるため、SPDに記述されたURLは、動的なURL（dynamic URL）であるといえる。
【００４３】
そして、ビデオやオーディオ等のコンポーネントがストリームとして、セグメント単位で、FLUTEセッションにより放送で伝送される場合、SDPやFDD，IS等のシグナリング情報を用いることで、セグメントが特定され、放送コンポーネント(Component)が取得される。また、コンポーネントがストリームとして、セグメント単位で、通信で伝送される場合、MPD等のシグナリング情報を用いることで、セグメントが特定され、通信コンポーネント(Component)が取得される。なお、通信取得されるUSD，MPD，SDP，FDD，SPD，IS等のファイルは、例えば、ZIPファイルフォーマットにより１つのファイルとして取り扱うことができる。
【００４４】
以上のように、放送取得されるシグナリング情報には、放送で伝送される放送コンポーネント(ストリーム)に関する情報のみが記述され、通信で伝送される通信コンポーネント(ストリーム)に関する情報が記述されないため、放送で伝送されるシグナリング情報のデータサイズの増大を抑えることができる。それに対して、通信取得されるシグナリング情報には、放送で伝送される放送コンポーネント(ストリーム)と、通信で伝送される通信コンポーネント（ストリーム)に関する情報が両方とも記述されるが、通信で伝送されるシグナリング情報の場合、インターネットを介して取得するため、放送で伝送されるシグナリング情報と比べて、データサイズを意識する必要性は少ないため、問題とはならない。
【００４５】
（２）具体的な運用例
次に、ソリューション１による具体的な運用例について説明する。ここでは、放送で伝送されるストリームのみから構成されるサービス（以下、「ベーシックサービス(Basic Service)」という。）と、放送と通信で伝送されるストリームから構成されるサービス（以下、「ハイブリッドサービス(Hybrid Service)」という。）を順に説明する。
【００４６】
（２−１）ベーシックサービス
図４は、ソリューション１によるベーシックサービスの選局シナリオを説明するための図である。
【００４７】
図４において、放送局（放送事業者）の送信機は、IP伝送方式を用いたデジタル放送の放送波(RF Channel)によって、各サービスを構成するコンポーネントやシグナリング情報をBBPストリーム(BBP Stream)により伝送している。ただし、当該デジタル放送では、上述したID体系が採用されている。また、コンポーネントやシグナリング情報のファイルは、FLUTEセッションで伝送されている。また、ベーシックサービスでは、放送で伝送されるストリームのみが取得され、ストリーミングサーバやシグナリングサーバ等のインターネットサーバ(Internet Server)から通信で伝送されるストリームやシグナリング情報は、取得されないことになる。
【００４８】
図４に示すように、各家庭等に設置された受信機は、初期スキャンによって、LLSで伝送されるSCDを取得して、NVRAMに記録する（手順１）。このSCDには、SCSを取得するためのIPアドレス、ポート番号、及び、TSIが記述されたSCS Bootstrap情報が含まれる。ここで、ユーザにより特定のサービス（ベーシックサービス）が選局された場合（手順２）、受信機は、NVRAMからSCDを読み出して（手順３）、SCS Bootstrap情報に従い、放送波で伝送されているSCSに接続して、シグナリング情報を取得する（手順４，５）。
【００４９】
SCSのファイルは、FLUTEセッションで伝送されているので、LCTパケットに格納されたデータを解析することで、USD，MPD，SDP，FDD等のシグナリング情報が取得される（手順６）。なお、deliveryMethod要素は、USDの子要素とされるが、説明の都合上、USDとは別に図示している。また、USDにはリンク情報が記述されており、このリンク情報を用い、MPD，SDP，FDDを取得することになるが、それらのシグナリング情報は全てSCSに含まれているので、そこから一括して取得することもできる。
【００５０】
MPDのAdaptationSet要素内には、Representation要素が配置され、放送又は通信でストリームとして伝送されるコンポーネントが列挙されている。また、Representation要素には、リプレゼンテーションIDのほか、コンポーネントの取得先を示すセグメントURLが列挙されている。図４のMPDの例では、AdaptationSet要素内のRepresentation要素に、ビデオとオーディオのコンポーネントが列挙されている。また、USDのdeliveryMethod要素には、コンポーネントの配信形態を識別するための情報が指定される。
【００５１】
図４の選局シナリオでは、ベーシックサービス、すなわち、コンポーネントが放送でのみ伝送されるので、deliveryMethod要素には、broadcastAppService要素が配置され、さらに、basepattern要素には、放送で伝送されるコンポーネントのURLが指定される。そして、MPDに記述されたセグメントURLと、deliveryMethod要素に記述されたURLのマッチングを行うことで、MPDに列挙されたビデオとオーディオのコンポーネントが放送で伝送されていることが特定される（手順７）。
【００５２】
また、FDDには、tsi属性、contentLocation属性、及び、toi属性が記述される。tsi属性には、各FLUTEセッションの識別情報であるTSI(Transport Session Identifier)が指定される。また、toi属性には、FLUTEセッションごとに送られる複数のオブジェクトの識別情報であるTOI（Transport Object Identifier）が指定される。contentLocation属性には、ファイルのURLが指定される。そして、MPDに記述されたセグメントURLと、FDDに記述されたURLのマッチングを行うことで、MPDに列挙されたコンポーネントを取得するためのTSIとTOIが特定される（手順８）。さらに、SPDを参照することで、当該ビデオとオーディオのコンポーネントを取得するためのIPアドレスとポート番号が特定される（手順８）。
【００５３】
このようにして、ビデオのコンポーネントを取得するためのIPアドレス、ポート番号、TSI、及び、TOIと、オーディオのコンポーネントを取得するためのIPアドレス、ポート番号、TSI、及び、TOIがそれぞれ取得される。受信機は、ビデオとオーディオのコンポーネントのIPアドレス、ポート番号、TSI、及び、TOIを用い、FLUTEセッションで伝送されているビデオとオーディオのストリームに接続して、LCTパケットを取得する（手順９，１０）。そして、受信機は、LCTパケットに格納されたセグメントデータ(メディアセグメント)を抽出して、バッファに一時的に記憶させることで、バッファリングを行い（手順１１，１２）、さらに、レンダリングを行う（手順１３）。これにより、受信機では、ユーザにより選局された特定のサービス（ベーシックサービス）に対応した番組の映像が表示されるとともに、その映像に同期した音声が出力される。
【００５４】
以上のように、ベーシックサービスにおいては、ビデオやオーディオのコンポーネント(ストリーム)が放送でのみ配信されるので、当該コンポーネントに関する情報は、放送で伝送されるシグナリング情報(SCS)に記述されている。したがって、受信機は、放送で伝送されるシグナリング情報に基づいて、ビデオやオーディオのコンポーネント(ストリーム)を取得することになる。その際、当該シグナリング情報には、放送で伝送されているコンポーネントに関する情報のみを記述しているため、データサイズの増大を抑えることができる。なお、ハイブリッドサービスに対応していない受信機は、基本的にインターネットに接続できないため、通信で伝送されるシグナリング情報を取得することはできないが、当該受信機であっても、放送で伝送されるシグナリング情報を取得することはできるので、ベーシックサービスの番組を視聴することが可能となる。
【００５５】
（２−２）ハイブリッドサービス
図５は、ソリューション１によるハイブリッドサービスの選局シナリオを説明するための図である。
【００５６】
図５においては、図４と同様に、放送局の送信機が、IP伝送方式を用いたデジタル放送の放送波によって、各サービスを構成するコンポーネントやシグナリング情報をBBPストリームにより伝送している。また、ハイブリッドサービスでは、受信機において通信で伝送されるストリームも取得されるので、ストリーミングサーバ(Streaming Server)からはオーディオ(A2：Audio2)のストリームが伝送されている。また、シグナリングサーバ(Signaling Server)からは、シグナリング情報(例えばUSD等を含むZIPファイル)が伝送されている。
【００５７】
図５に示すように、各家庭等に設置された受信機は、初期スキャンによって、LLSで伝送されるSCDを取得して、NVRAMに記録する（手順１）。このSCDには、SignalingOverInternet要素と、その配下にhybrid属性とurl属性が記述されている。hybrid属性には、ベーシックサービスの場合には"basic"が指定され、ハイブリッドサービスの場合には"hybrid"が指定されるので、ここでは、"hybrid"が指定されている。url属性には、シグナリング情報の取得先として、例えばシグナリングサーバのURLが指定される。
【００５８】
なお、初期スキャンは、受信機の使用開始時などに行うものであって、頻繁に行うものではないので、ハイブリッドサービスに対応した受信機では、初期スキャン時に取得したSCDのSignalingOverInternet要素に、hybrid属性として"hybrid"が指定されていても、ベーシックサービスのストリームを受信する場合が想定される。すなわち、このhybrid属性に"hybrid"が指定された場合には、ハイブリッドサービスのストリームを受信する可能性があることを示していると言える。
【００５９】
ここで、ユーザにより特定のサービス（ハイブリッドサービス）が選局された場合（手順２）、受信機は、NVRAMからSCDを読み出して（手順３）、SignalingOverInternet要素のurl属性に指定されたURLに従い、インターネットを介してシグナリングサーバにアクセスして、USD，MPD，SDP，FDD等のシグナリング情報が取得される（手順４，５，６）。
【００６０】
図５のMPDの例では、AdaptationSet要素内のRepresentation要素に、ビデオとオーディオのコンポーネントが列挙されている。また、図５の選局シナリオでは、ハイブリッドサービス、すなわち、コンポーネントが放送と通信で伝送されるので、USDのdeliveryMethod要素には、broadcastAppService要素とunicastAppService要素が配置される。broadcastAppService要素のbasepattern要素には、放送で伝送されるコンポーネントのURLが指定され、unicastAppService要素のbasepattern要素には、通信で伝送されるコンポーネントのURLが指定される。
【００６１】
そして、MPDに記述されたセグメントURLと、USDのdeliveryMethod要素に記述されたURLのマッチングを行うことで、MPDに列挙されたコンポーネントのうち、ビデオのコンポーネントが放送で伝送され、オーディオのコンポーネントが通信で伝送されていることが特定される（手順８）。また、MPDに記述されたセグメントURLと、FDDに記述されたURLのマッチングを行うことで、放送で伝送されるビデオのコンポーネントを取得するためのTSIとTOIが特定される（手順９）。さらに、SPDを参照することで、ビデオのコンポーネントを取得するためのIPアドレスとポート番号が特定される（手順９）。なお、オーディオのコンポーネントは通信で伝送されるので、当該オーディオのコンポーネントに対応するMPDのセグメントURLが、オーディオ(A2：Audio2)のコンポーネント(ストリーム)を配信しているストリーミングサーバのURLとなる。
【００６２】
このようにして、ビデオのコンポーネントを取得するためのIPアドレス、ポート番号、TSI、及び、TOIと、オーディオのコンポーネントを取得するためのストリーミングサーバのURLがそれぞれ取得される。受信機は、ビデオのコンポーネントのIPアドレス、ポート番号、TSI、及び、TOIを用い、FLUTEセッションで伝送されているビデオのストリームに接続して、LCTパケットを取得する（手順１０−１）。そして、受信機は、LCTパケットに格納されたセグメントデータ(メディアセグメント)を抽出する（手順１２）。また、受信機は、MPDのセグメントURLに従い、インターネットを介してストリーミングサーバにアクセスして、オーディオのストリームに接続する（手順１０−２）。
【００６３】
その結果、ビデオとオーディオのストリームが取得されるので（手順１１）、受信機は、それらのデータをバッファに一時的に記憶させることで、バッファリングを行い（手順１３）、さらに、レンダリングを行う（手順１４）。これにより、受信機では、ユーザにより選局された特定のサービス（ハイブリッドサービス）に対応した番組の映像が表示されるとともに、その映像に同期した音声が出力される。
【００６４】
以上のように、ハイブリッドサービスでは、ビデオやオーディオのコンポーネント(ストリーム)が放送と通信で配信されるので、当該コンポーネントに関する情報は、通信で伝送されるシグナリング情報に記述される。したがって、受信機は、通信で伝送されるシグナリング情報に基づいて、ビデオやオーディオのコンポーネント(ストリーム)を取得することになる。その際、当該シグナリング情報には、放送と通信で伝送されるコンポーネントに関する情報が両方とも記述されるが、通信で伝送されるシグナリング情報の場合には、放送で伝送されるシグナリング情報と比べて、データサイズを意識する必要性は少ないため、問題とはならない。なお、ハイブリッドサービスに対応した受信機は、インターネットに接続できることが前提となるため、シグナリング情報を通信で伝送しても問題とはならない。
【００６５】
＜３．ソリューション２＞
【００６６】
次に、ソリューション２について説明する。ソリューション２では、上述したソリューション１と比べて、放送で取得されるシグナリング情報が簡略化されている。
【００６７】
（１）シグナリング情報の構造
図６は、ソリューション２のシグナリング情報の構造を示す図である。図６においては、図３と同様に、左側の領域が「放送取得」を表し、右側の領域が「通信取得」を表している。また、図中の左側の領域の放送取得とされるシグナリング情報のうち、LLSは、図３と同様であるが、SCSは、図３と比べて簡略化されている。すなわち、図６においては、SCSとして、SPDとISが取得される。
【００６８】
ここで、SPDは、サービスとコンポーネントのレベルで規定された各種のパラメータを含んで構成される。このコンポーネントのレベルのパラメータとして、放送で伝送されるコンポーネントを取得するための情報（例えば、ポート番号、TSI、TOI）を記述することで、FLUTEセッションにより伝送されるセグメントが特定され、放送コンポーネント(Component)が取得されることになる。
【００６９】
一方、図中の右側の通信取得のシグナリング情報は、図３と同様に、USD，MPD，SDP，FDD，SPD，ISが取得される。そして、SDPやFDD，IS等のシグナリング情報を用いることで、FLUTEセッションにより伝送されるセグメントが特定され、放送コンポーネント(Component)が取得される。また、MPD等のシグナリング情報を用いることで、セグメントが特定され、通信コンポーネント(Component)が取得される。
【００７０】
以上のように、SPDに、放送で伝送される放送コンポーネント(ストリーム)を取得するための情報を集約することで、USD，MPD，SDP，FDDを用いずに、シグナリング情報を簡略化することができる。また、ソリューション２のシグナリング情報の構造においては、ソリューション１と同様に、放送で取得されるシグナリング情報には、放送で伝送される放送コンポーネント(ストリーム)に関する情報のみが記述され、通信で伝送される通信コンポーネント(ストリーム)に関する情報が記述されないため、放送で伝送されるシグナリング情報のデータサイズの増大を抑えることができる。
【００７１】
（２）具体的な運用例
次に、ソリューション２による具体的な運用例を説明するが、上述したソリューション１と同様に、ベーシックサービスとハイブリッドサービスの場合における選局シナリオについて説明する。
【００７２】
（２−１）ベーシックサービス
図７は、ソリューション２によるベーシックサービスの選局シナリオを説明するための図である。
【００７３】
図７においては、図４と同様に、放送局の送信機が、IP伝送方式を用いたデジタル放送の放送波によって、各サービスを構成するコンポーネントやシグナリング情報をBBPストリームにより伝送している。また、ベーシックサービスでは、放送で伝送されるストリームのみが取得され、インターネットサーバから通信で伝送されるストリームやシグナリング情報は、取得されないことになる。
【００７４】
図７に示すように、各家庭等に設置された受信機は、初期スキャンによって、LLSで伝送されるSCDを取得して、NVRAMに記録する（手順１）。このSCDには、SCSを取得するためのIPアドレス、ポート番号、及び、TSIが記述されたSCS Bootstrap情報が含まれる。ここで、ユーザにより特定のサービス（ベーシックサービス）が選局された場合（手順２）、受信機は、NVRAMからSCDを読み出して（手順３）、SCS Bootstrap情報に従い、放送波で伝送されているSCSに接続して、シグナリング情報を取得する（手順４，５）。
【００７５】
SCSのファイルは、FLUTEセッションで伝送されているので、LCTパケットに格納されたデータを解析することで、SPD等のシグナリング情報が取得される（手順６）。ここで、SPDには、ビデオやオーディオ等のコンポーネントのレベルのパラメータとして、componentId属性、componentType属性、及び、ComponentLocation要素が記述される。componentId属性には、コンポーネントIDが指定され、componentType属性には、コンポーネントのタイプ情報が指定される。
【００７６】
また、ComponentLocation要素には、コンポーネントごとのロケーション情報として、portNum属性、tsi属性、startToi属性、及び、endToi属性が記述される。すなわち、放送で伝送される各コンポーネント(ストリーム)を取得するための情報として、ポート番号、TSI、TOIが指定される。なお、startToi属性には、TOIが時系列で変化する場合におけるTOIの開始値が指定される。また、endToi属性には、TOIが時系列で変化する場合におけるTOIの終了値が指定される。すなわち、startToi属性とendToi属性を指定することで、TOIの開始値から終了値まで、その値が順次インクリメントされることになる。
【００７７】
このようにして、ビデオのコンポーネントを取得するためのIPアドレス、ポート番号、TSI、及び、TOIと、オーディオのコンポーネントを取得するためのIPアドレス、ポート番号、TSI、及び、TOIがそれぞれ取得される（手順７）。受信機は、ビデオとオーディオのコンポーネントのIPアドレス、ポート番号、TSI、及び、TOIを用い、FLUTEセッションで伝送されているストリームに接続して、LCTパケットを取得する（手順８，９）。そして、受信機は、LCTパケットに格納されたセグメントデータ(メディアセグメント)を抽出して、バッファに一時的に記憶させることで、バッファリングを行い（手順１０，１１）、さらに、レンダリングを行う（手順１２）。これにより、受信機では、ユーザにより選局された特定のサービス（ベーシックサービス）に対応した番組の映像が表示されるとともに、その映像に同期した音声が出力される。
【００７８】
以上のように、ベーシックサービスにおいては、ビデオやオーディオのコンポーネント(ストリーム)が放送でのみ配信されるので、当該コンポーネントに関する情報は、放送で伝送されるシグナリング情報(SCS)に記述されている。したがって、受信機は、放送で伝送されるシグナリング情報に基づいて、ビデオやオーディオのコンポーネント(ストリーム)を取得することになる。その際、当該シグナリング情報には、放送で伝送されているコンポーネントに関する情報のみを記述しているため、データサイズの増大を抑えることができる。
【００７９】
（２−２）ハイブリッドサービス
図８は、ソリューション２によるハイブリッドサービスの選局シナリオを説明するための図である。
【００８０】
図８においては、図４と同様に、放送局の送信機が、IP伝送方式を用いたデジタル放送の放送波によって、各サービスを構成するコンポーネントやシグナリング情報をBBPストリームにより伝送している。また、ハイブリッドサービスでは、受信機において通信で伝送されるストリームも取得されるので、ストリーミングサーバからはオーディオ(A2：Audio2)のストリームが伝送されている。また、シグナリングサーバからは、シグナリング情報(例えばUSD等を含むZIPファイル)が伝送されている。
【００８１】
図８に示すように、各家庭等に設置された受信機は、初期スキャンによって、LLSで伝送されるSCDを取得して、NVRAMに記録する（手順１）。このSCDには、SignalingOverInternet要素と、その配下にhybrid属性とurl属性が記述されている。hybrid属性には、"hybrid"が指定される。また、url属性には、例えばシグナリングサーバのURLが指定される。なお、上述したように、SignalingOverInternet要素に、hybrid属性として"hybrid"が指定されていても、ベーシックサービスのストリームを受信する場合が想定されるので、このhybrid属性に"hybrid"が指定された場合には、ハイブリッドサービスのストリームを受信する可能性があることを示していると言える。
【００８２】
ここで、ユーザにより特定のサービス（ハイブリッドサービス）が選局された場合（手順２）、受信機は、NVRAMからSCDを読み出して（手順３）、SignalingOverInternet要素のurl属性に指定されたURLに従い、インターネットを介してシグナリングサーバにアクセスして、USD，MPD，SDP，FDD等のシグナリング情報が取得される（手順４，５，６）。
【００８３】
図８のMPDの例では、AdaptationSet要素内のRepresentation要素に、ビデオとオーディオのコンポーネントが列挙されている。また、図８の選局シナリオでは、ハイブリッドサービス、すなわち、コンポーネントが放送と通信で伝送されるので、USDのdeliveryMethod要素には、broadcastAppService要素とunicastAppService要素が配置される。
【００８４】
そして、MPDに記述されたセグメントURLと、USDのdeliveryMethod要素に記述されたURLのマッチングを行うことで、MPDに列挙されたコンポーネントのうち、ビデオのコンポーネントが放送で伝送され、オーディオのコンポーネントが通信で伝送されていることが特定される（手順８）。また、MPDに記述されたセグメントURLと、FDDに記述されたURLのマッチングを行うことで、放送で伝送されるビデオのコンポーネントを取得するためのTSIとTOIが特定される（手順９）。
【００８５】
さらに、SPDを参照することで、ビデオのコンポーネントを取得するためのIPアドレスとポート番号が特定される（手順９）。なお、オーディオのコンポーネントは通信で伝送されるので、当該オーディオのコンポーネントに対応するMPDのセグメントURLが、オーディオ(A2：Audio2)のコンポーネント(ストリーム)を配信しているストリーミングサーバのURLとなる。
【００８６】
このようにして、ビデオのコンポーネントを取得するためのIPアドレス、ポート番号、TSI、及び、TOIと、オーディオのコンポーネントを取得するためのストリーミングサーバのURLがそれぞれ取得される。受信機は、ビデオのコンポーネントのIPアドレス、ポート番号、TSI、及び、TOIを用い、FLUTEセッションで伝送されているビデオのストリームに接続して、LCTパケットを取得する（手順１０−１）。そして、受信機は、LCTパケットに格納されたセグメントデータ(メディアセグメント)を抽出する（手順１２）。また、受信機は、MPDのセグメントURLに従い、インターネットを介してストリーミングサーバにアクセスして、オーディオのストリームに接続する（手順１０−２）。
【００８７】
その結果、ビデオとオーディオのストリームが取得されるので（手順１１）、受信機は、それらのデータをバッファに一時的に記憶させることで、バッファリングを行い（手順１３）、さらに、レンダリングを行う（手順１４）。これにより、受信機では、ユーザにより選局された特定のサービス（ハイブリッドサービス）に対応した番組の映像が表示されるとともに、その映像に同期した音声が出力される。
【００８８】
以上のように、ハイブリッドサービスでは、ビデオやオーディオのコンポーネント(ストリーム)が放送と通信で配信されるので、当該コンポーネントに関する情報は、通信で伝送されるシグナリング情報に記述される。したがって、受信機は、通信で伝送されるシグナリング情報に基づいて、ビデオやオーディオのコンポーネント(ストリーム)を取得することになる。その際、当該シグナリング情報には、放送と通信で伝送されるコンポーネントに関する情報が両方とも記述されるが、通信で伝送されるシグナリング情報の場合には、放送で伝送されるシグナリング情報と比べて、データサイズを意識する必要性は少ないため、問題とはならない。
【００８９】
＜４．ソリューション１，２＞
【００９０】
ところで、受信機では、選局された特定のサービスがハイブリッドサービスで継続するが、番組が変更されることなどにより、ストリームの取得先が変更になる場合のほか、ベーシックサービスからハイブリッドサービスに遷移する場合や、ハイブリッドサービスからベーシックサービスに遷移する場合などが想定されるので、以下、それらの場合について説明する。ただし、以下の説明は、ソリューション１とソリューション２で共通するので、ソリューションごとに分けて説明するのではなく、まとめて説明するものとする。
【００９１】
（１）シグナリング情報の構造
シグナリング情報の構造としては、ソリューション１のシグナリング情報の構造（図３）、又は、ソリューション２のシグナリング情報の構造（図６）のいずれか一方の構造が用いられる。
【００９２】
（２）具体的な運用例
【００９３】
（２−１）ベーシックサービスからハイブリッドサービスへの遷移
図９は、ベーシックサービスからハイブリッドサービスに遷移する場合のシナリオを説明するための図である。
【００９４】
図９においては、図４と同様に、放送局の送信機が、IP伝送方式を用いたデジタル放送の放送波によって、各サービスを構成するコンポーネントやシグナリング情報をBBPストリームにより伝送している。また、ハイブリッドサービスでは、受信機において通信で伝送されるストリームも取得されるので、ストリーミングサーバからはオーディオ(A2：Audio2)のストリームが伝送されている。また、シグナリングサーバからは、シグナリング情報が伝送されている。
【００９５】
図９に示すように、各家庭等に設置された受信機では、ユーザにより選局された特定のサービスが、ベーシックサービスであるので、放送で伝送されるシグナリング情報を用い、放送で伝送されるビデオやオーディオのストリームが取得される。これにより、受信機では、ベーシックサービスに対応した番組の映像が表示されるとともに、その映像に同期した音声が出力される（手順１）。なお、この手順1は、ソリューション１の場合には、図４の選局シナリオにおける各手順に対応し、ソリューション２の場合には、図７の選局シナリオにおける各手順に対応している。
【００９６】
受信機では、SCDのSCS Bootstrap情報に従い、放送で伝送されるシグナリング情報(SCS)が取得されるが、SPDに記述されるSignalingOverInternet要素の内容が常に監視される（手順２）。ここで、SignalingOverInternet要素には、その配下にhybrid属性とurl属性が記述される。hybrid属性には、ベーシックサービスの場合には"basic"が指定され、ハイブリッドサービスの場合には"hybrid"が指定される。url属性には、シグナリング情報の取得先として、例えばシグナリングサーバのURLが指定される。
【００９７】
すなわち、ユーザにより選局されたサービスが、ベーシックサービスである場合には、hybrid属性には"basic"が指定されるが、当該サービスが、ベーシックサービスから、ハイブリッドサービスに遷移した場合には、その時点で、SignalingOverInternet要素のhybrid属性の値が、"basic"から"hybrid"に変更される。この場合、受信機は、SignalingOverInternet要素のurl属性に指定されたURLに従い、インターネットを介してシグナリングサーバにアクセスして、シグナリング情報を取得する（手順３，４）。
【００９８】
そして、受信機では、通信で伝送されるシグナリング情報を用い、放送で伝送されるビデオのコンポーネントと、通信で伝送されるオーディオのコンポーネントが取得される。これにより、受信機では、ハイブリッドサービスに対応した番組の映像が表示されるとともに、その映像に同期した音声が出力される（手順５，６）。なお、手順４乃至６は、ソリューション１の場合には、図５の選局シナリオにおける各手順に対応し、ソリューション２の場合には、図８の選局シナリオにおける各手順に対応している。
【００９９】
以上のように、ベーシックサービスからハイブリッドサービスに遷移する場合、遷移前のベーシックサービスでは、ビデオやオーディオのコンポーネントが放送でのみ配信されるので、当該コンポーネントに関する情報は、放送で伝送されるシグナリング情報(SCS)に記述されている。したがって、受信機は、放送で伝送されるシグナリング情報に基づいて、ビデオやオーディオのコンポーネント(ストリーム)を取得する。その際、当該シグナリング情報には、放送で伝送されているコンポーネントに関する情報のみを記述しているため、データサイズの増大を抑えることができる。
【０１００】
一方、遷移後のハイブリッドサービスでは、ビデオやオーディオのコンポーネントが放送と通信で配信されるので、当該ストリームに関する情報は、通信で伝送されるシグナリング情報に記述されている。したがって、受信機は、通信で伝送されるシグナリング情報に基づいて、ビデオやオーディオのコンポーネント(ストリーム)を取得する。その際、当該シグナリング情報には、放送と通信で伝送されるコンポーネントに関する情報が両方とも記述されるが、通信で伝送されるシグナリング情報の場合には、放送で伝送されるシグナリング情報と比べて、データサイズを意識する必要性は少ないため、問題とはならない。ところで、ハイブリッドサービスに遷移した場合でも、ユーザがベーシックサービスの視聴を希望した場合や、ベーシックサービスのみに対応する受信機、あるいは受信機がインターネットに接続していない場合には、SignalingOverInternet要素を参照せずにそのままベーシックサービスの受信を継続する。
【０１０１】
（２−２）ハイブリッドサービスにおけるストリーム取得先の変更
図１０は、ハイブリッドサービスで、ストリームの取得先が変更される場合のシナリオを説明するための図である。
【０１０２】
図１０においては、図４と同様に、放送局の送信機が、IP伝送方式を用いたデジタル放送の放送波によって、各サービスを構成するコンポーネントやシグナリング情報をBBPストリームにより伝送している。また、ハイブリッドサービスでは、受信機において通信で伝送されるストリームも取得されるので、ストリーミングサーバからはオーディオのストリームが伝送されている。ただし、当該ハイブリッドサービスでは、番組ごとに異なるオーディオが提供されるので、オーディオ２(A2：Audio2)を提供するストリーミングサーバ(Streaming Server1)と、オーディオ３(A3：Audio3)を提供するストリーミングサーバ(Streaming Server2)が設けられている。また、シグナリングサーバからは、シグナリング情報(例えばUSD等を含むZIPファイル)が伝送されている。
【０１０３】
図１０に示すように、各家庭等に設置された受信機では、通信で伝送されるシグナリング情報を用い、放送で伝送されるビデオのコンポーネントと、ストリーミングサーバ(Streaming Server1)から通信で伝送されるオーディオ２のコンポーネントが取得される。これにより、受信機では、ハイブリッドサービスに対応した番組の映像が表示されるとともに、その映像に同期したオーディオ２に対応する音声が出力される（手順１）。なお、この手順１は、ソリューション１の場合には、図５の選局シナリオにおける各手順に対応し、ソリューション２の場合には、図８の選局シナリオにおける各手順に対応している。
【０１０４】
また、通信で伝送されるシグナリング情報には、SPDのSignalingOverInternet要素に、hybrid属性とurl属性のほかに、version属性とminUpdatePeriod属性が記述される。version属性には、シグナリング情報のバージョン情報が指定される。minUpdatePeriod属性には、シグナリング情報の更新間隔が指定される。したがって、受信機は、シグナリング情報の更新間隔ごとに、シグナリングサーバのURLに従い、シグナリングサーバにアクセスして、シグナリング情報を取得する（手順２）。そして、受信機は、SPDのhybrid属性とversion属性の属性値を確認することで、シグナリング情報の内容が更新されたかどうかをチェックする（手順３）。
【０１０５】
図１０のシナリオでは、ハイブリッドサービスの番組が切り替わるタイミングで、シグナリング情報の内容が更新され、オーディオが、オーディオ２からオーディオ３に切り替わるので、受信機では、更新されたシグナリング情報を用い、放送で伝送されるビデオのコンポーネントと、ストリーミングサーバ(Streaming Server2)から通信で伝送されるオーディオ３のコンポーネントが取得される（手順４，５）。これにより、受信機では、ハイブリッドサービスに対応した番組の映像が表示されるとともに、その映像に同期したオーディオ３に対応する音声が出力される。なお、この手順４，５は、ソリューション１の場合には、図５の選局シナリオにおける各手順に対応し、ソリューション２の場合には、図８の選局シナリオにおける各手順に対応している。
【０１０６】
図１１は、ハイブリッドサービスで、ストリームの取得先が変更される場合の他のシナリオを説明するための図である。
【０１０７】
図１１においては、図１０と同様に、ハイブリッドサービスで、ストリームの取得先が変更される場合のシナリオを示しているが、図１０では、通信で伝送されるシグナリング情報を用い、シグナリング情報の更新をチェックしていたものを、図１１では、放送で伝送されるシグナリング情報を用い、シグナリング情報の更新をチェックする点で異なっている。
【０１０８】
具体的には、図１１に示すように、各家庭等に設置された受信機では、通信で伝送されるシグナリング情報を用い、放送で伝送されるビデオのコンポーネントと、ストリーミングサーバ(Streaming Server1)から通信で伝送されるオーディオ２のコンポーネントが取得される。これにより、受信機では、ハイブリッドサービスに対応した番組の映像が表示されるとともに、その映像に同期したオーディオ２に対応する音声が出力される（手順１）。なお、この手順１は、ソリューション１の場合には、図５の選局シナリオにおける各手順に対応し、ソリューション２の場合には、図８の選局シナリオにおける各手順に対応している。
【０１０９】
また、受信機は、SCDのSCS Bootstrap情報に従い、放送で伝送されるシグナリング情報(SCS)を取得することができるが、SPDに記述されるSignalingOverInternet要素の内容が常に監視されるようにする（手順２）。そして、受信機は、SPDのhybrid属性とversion属性の属性値を確認することで、通信で伝送されるシグナリング情報の内容が更新されたかどうかをチェックする（手順３）。受信機は、通信で伝送されるシグナリング情報が更新された場合、シグナリングサーバのURLに従い、シグナリングサーバにアクセスして、更新されたシグナリング情報を取得する（手順４）。
【０１１０】
図１１のシナリオでは、図１０のシナリオと同様に、ハイブリッドサービスの番組が切り替わるタイミングで、シグナリング情報の内容が更新され、オーディオが、オーディオ２からオーディオ３に切り替わるので、受信機では、更新されたシグナリング情報を用い、放送で伝送されるビデオのコンポーネントと、ストリーミングサーバ(Streaming Server2)から通信で伝送されるオーディオ３のコンポーネントが取得される（手順５，６）。これにより、受信機では、ハイブリッドサービスに対応した番組の映像が表示されるとともに、その映像に同期したオーディオ３に対応する音声が出力される。なお、この手順５，６は、ソリューション１の場合には、図５の選局シナリオにおける各手順に対応し、ソリューション２の場合には、図８の選局シナリオにおける各手順に対応している。
【０１１１】
以上のように、ハイブリッドサービス内で、ストリームの取得先が変更される場合、ビデオやオーディオのコンポーネント(ストリーム)が放送と通信で配信されるので、当該コンポーネントに関する情報は、通信で伝送されるシグナリング情報に記述されている。したがって、受信機は、通信で伝送されるシグナリング情報に基づいて、ビデオやオーディオのコンポーネント(ストリーム)を取得する。その際、当該シグナリング情報には、放送と通信で伝送されるコンポーネントに関する情報が両方とも記述されるが、通信で伝送されるシグナリング情報の場合には、放送で伝送されるシグナリング情報と比べて、データサイズを意識する必要性は少ないため、問題とはならない。
【０１１２】
（２−３）ハイブリッドサービスからベーシックサービスへの遷移
図１２は、ハイブリッドサービスからベーシックサービスに遷移する場合のシナリオを説明するための図である。
【０１１３】
図１２においては、図４と同様に、放送局の送信機が、IP伝送方式を用いたデジタル放送の放送波によって、各サービスを構成するコンポーネントやシグナリング情報をBBPストリームにより伝送している。また、ハイブリッドサービスでは、受信機において通信で伝送されるストリームも取得されるので、ストリーミングサーバからはオーディオのストリームが伝送されている。ただし、当該ハイブリッドサービスでは、オーディオ２(A2：Audio2)とオーディオ３(A3：Audio3)が提供されるため、複数のストリーミングサーバ(Streaming Server1,2)が設けられている。また、シグナリングサーバからは、シグナリング情報(例えばUSD等を含むZIPファイル)が伝送されている。
【０１１４】
図１２に示すように、各家庭等に設置された受信機では、ユーザにより選局された特定のサービスが、ハイブリッドサービスであるので、通信で伝送されるシグナリング情報を用い、放送で伝送されるビデオのコンポーネントと、ストリーミングサーバ(Streaming Server2)から通信で伝送されるオーディオ３のコンポーネントが取得される。これにより、受信機では、ハイブリッドサービスに対応した番組の映像が表示されるとともに、その映像に同期したオーディオ３に対応する音声が出力される（手順１）。なお、この手順１は、ソリューション１の場合には、図５の選局シナリオにおける各手順に対応し、ソリューション２の場合には、図８の選局シナリオにおける各手順に対応している。
【０１１５】
また、通信で伝送されるシグナリング情報には、SPDのSignalingOverInternet要素に、hybrid属性、version属性、url属性のほかに、minUpdatePeriod属性とendtime属性が記述される。minUpdatePeriod属性には、シグナリング情報の更新間隔が指定される。endtime属性には、シグナリング情報の通信取得の終了時刻が指定される。したがって、受信機は、シグナリング情報の更新間隔ごとに、シグナリングサーバのURLに従い、シグナリングサーバにアクセスして、シグナリング情報を取得する（手順２）。そして、受信機は、SPDのendtime属性の属性値を確認することで、シグナリング情報の通信取得を終了するかどうかをチェックする（手順３）。
【０１１６】
シグナリング情報の通信取得が終了すると、受信機では、SCDのSCS Bootstrap情報に従い、放送で伝送されるシグナリング情報(SCS)が取得される（手順４）。すなわち、シグナリング情報が、通信取得から放送取得に切り替えられ、ハイブリッドサービスからベーシックサービスに遷移することになる。
【０１１７】
そして、受信機では、放送で伝送されるシグナリング情報(SCS)を用い、放送で伝送されるビデオやオーディオのコンポーネントが取得される（手順５，６）。これにより、受信機では、ベーシックサービスに対応した番組の映像が表示されるとともに、その映像に同期した音声が出力される。なお、この手順５，６は、ソリューション１の場合には、図４の選局シナリオにおける各手順に対応し、ソリューション２の場合には、図７の選局シナリオにおける各手順に対応している。
【０１１８】
図１３は、ハイブリッドサービスからベーシックサービスに遷移する場合の他のシナリオを説明するための図である。
【０１１９】
図１３においては、図１２と同様に、ハイブリッドサービスからベーシックサービスに遷移する場合のシナリオを示しているが、図１２では、通信で伝送されるシグナリング情報を用い、シグナリグ情報の通信取得の終了をチェックしていたものを、図１３では、放送で伝送されるシグナリング情報を用い、シグナリング情報の通信取得の終了をチェックする点で異なっている。
【０１２０】
具体的には、各家庭等に設置された受信機では、ユーザにより選局された特定のサービスが、ハイブリッドサービスであるので、通信で伝送されるシグナリング情報を用い、放送で伝送されるビデオのコンポーネントと、ストリーミングサーバ(Streaming Server2)から通信で伝送されるオーディオ３のコンポーネントが取得される。これにより、受信機では、ハイブリッドサービスに対応した番組の映像が表示されるとともに、その映像に同期したオーディオ３に対応する音声が出力される（手順１）。なお、この手順１は、ソリューション１の場合には、図５の選局シナリオにおける各手順に対応し、ソリューション２の場合には、図８の選局シナリオにおける各手順に対応している。
【０１２１】
また、受信機は、SCDのSCS Bootstrap情報に従い、放送で伝送されるシグナリング情報(SCS)を取得することができるが、SPDに記述されるSignalingOverInternet要素の内容が常に監視されるようにする（手順２）。そして、受信機は、SPDのendtime属性の属性値を確認することで、シグナリング情報の通信取得を終了するかどうかをチェックする（手順３）。受信機では、シグナリング情報の通信取得が終了した場合、SCDのSCS Bootstrap情報に従い、放送で伝送されるシグナリング情報(SCS)が取得される（手順４）。すなわち、シグナリング情報が、通信取得から放送取得に切り替えられ、ハイブリッドサービスからベーシックサービスに遷移することになる。
【０１２２】
そして、受信機では、放送で伝送されるシグナリング情報(SCS)を用い、放送で伝送されるビデオやオーディオのコンポーネントが取得される（手順５，６）。これにより、受信機では、ベーシックサービスに対応した番組の映像が表示されるとともに、その映像に同期した音声が出力される。なお、この手順５，６は、ソリューション１の場合には、図４の選局シナリオにおける各手順に対応し、ソリューション２の場合には、図７の選局シナリオにおける各手順に対応している。
【０１２３】
以上のように、ハイブリッドサービスからベーシックサービスに遷移する場合、遷移前のハイブリッドサービスでは、ビデオやオーディオのコンポーネントが放送と通信で配信されるので、当該コンポーネントに関する情報は、通信で伝送されるシグナリング情報に記述されている。したがって、受信機は、通信で伝送されるシグナリング情報に基づいて、ビデオやオーディオのコンポーネント(ストリーム)を取得する。その際、当該シグナリング情報には、放送と通信で伝送されるコンポーネントに関する情報が両方とも記述されるが、通信で伝送されるシグナリング情報の場合には、放送で伝送されるシグナリング情報と比べて、データサイズを意識する必要性は少ないため、問題とはならない。
【０１２４】
一方、遷移後のベーシックサービスでは、ビデオやオーディオのコンポーネントが放送でのみ配信されるので、当該コンポーネントに関する情報は、放送で伝送されるシグナリング情報(SCS)に記述されている。したがって、受信機は、放送で伝送されるシグナリング情報に基づいて、ビデオやオーディオのコンポーネント(ストリーム)を取得する。その際、当該シグナリング情報には、放送で伝送されているコンポーネントに関する情報のみを記述しているため、データサイズの増大を抑えることができる。
【０１２５】
＜５．シンタックス＞
【０１２６】
（１）SCDのシンタックス
図１４は、SCDのシンタックスを示す図である。なお、図１４のSCDは、ソリューション１と、ソリューション２で共通とされる。
【０１２７】
SCDは、例えばXML等のマークアップ言語により記述される。なお、図１４において、要素と属性のうち、属性には「@」が付されている。また、インデントされた要素と属性は、その上位の要素に対して指定されたものとなる。これらの関係は、後述する他のシンタックスでも同様とされる。
【０１２８】
図１４に示すように、Scd要素は、majorProtocolversion属性、minorProtocolversion属性、RFchannelId属性、name属性、Tuning_RF要素、及び、BBPStream要素の上位要素となる。
【０１２９】
majorProtocolversion属性と、minorProtocolversion属性には、プロトコルのバージョン情報が指定される。RFchannelId属性には、物理チャンネル単位の放送局のRFチャンネルIDが指定される。name属性には、物理チャンネル単位の放送局の名称が指定される。
【０１３０】
Tuning_RF要素は、選局に関する情報が指定される。Tuning_RF要素は、frequency属性、及び、PreambleL1Pre属性の上位要素となる。frequency属性には、所定の帯域を選局するときの周波数が指定される。PreambleL1Pre属性には、物理層の制御情報が指定される。
【０１３１】
BBPStream要素には、１又は複数のBBPストリームに関する情報が指定される。BBPStream要素は、bbpStreamId属性、payloadType属性、name属性、ESGBootstrap要素、ClockReferenceInformation要素、Tuning_BBPS要素、及び、Service要素の上位要素となる。
【０１３２】
bbpStreamId属性には、BBPストリームIDが指定される。BBPストリームを複数配置する場合には、bbpStreamId属性により識別する。payloadType属性には、BBPストリームのペイロードタイプが指定される。このペイロードタイプとしては、例えば、"ipv4"，"ipv6"，"ts"などが指定される。"ipv4"は、IPv4(Internet Protocol version 4)であることを示す。"ipv6"は、IPv6(Internet Protocol Version 6)であることを示す。"ts"は、TS(Transport Stream)であることを示す。name属性には、BBPストリームの名称が指定される。
【０１３３】
ESGBootstrap要素には、ESGへのアクセス情報が指定される。ESGBootstrap要素は、ESGProvider要素の上位要素となる。ESGProvider要素には、ESGのプロバイダごとに、ESGに関する情報が指定される。ESGProvider要素は、providerName属性、ESGBroadcastLocation要素、及び、ESGBroadbandLocation要素の上位要素となる。
【０１３４】
providerName属性には、ESGのプロバイダの名称が指定される。ESGBroadcastLocation要素は、ESGが放送により伝送される場合に、RFchannelId属性、BBPStreamId属性、及び、ESGServiceId属性(トリプレット)によりESGサービスを指定する。RFchannelId属性には、ESGサービスを伝送する放送局のRFチャンネルIDが指定される。BBPStreamId属性には、ESGサービスを伝送するBBPストリームのBBPストリームIDが指定される。ESGServiceId属性には、ESGサービスのサービスIDが指定される。
【０１３５】
ESGBroadbandLocation要素は、ESGが通信により伝送される場合に、ESGurl属性により、そのESGのファイルにアクセスするためのURLを指定する。
【０１３６】
ClockReferenceInformation要素には、時刻情報(例えばNTP)に関する情報が指定される。ClockReferenceInformation要素は、sourceIPAddress属性、destinationIPAddress属性、portNum属性、及び、clockReferenceFormat属性の上位要素となる。
【０１３７】
sourceIPAddress属性とdestinationIPAddress属性には、時刻情報を伝送する送信元(source)と宛先(destination)のIPアドレスが指定される。portNum属性には、時刻情報を伝送するポート番号が指定される。clockReferenceFormat属性には、時刻情報のタイプ情報が指定される。このタイプ情報としては、例えば、"NTPnormal"又は"NTP27M"が指定される。"NTPnormal"は、通常のNTPであることを示している。また、"NTP27M"は、PCR(Program Clock Reference)の27MHzの基準クロックに対応していることを示している。
【０１３８】
Tuning_BBPS要素には、BBPストリームごとの選局に関する情報が指定される。Tuning_BBPS要素は、plpId属性、及び、PreambleL1post要素の上位要素となる。plpId属性には、BBPストリームを識別するためのPLP IDが指定される。なお、PLP IDは、BBPストリームIDに対応している。PreambleL1post要素には、物理層の制御情報が指定される。
【０１３９】
Service要素には、１又は複数のサービスに関する情報が指定される。Service要素は、serviceId属性、serviceType属性、hidden属性、hiddenGuide属性、shortName属性、longName属性、accesControl属性、SourceOrigin要素、SCSbootstrap要素、SignalingOverInternet要素、及び、AssociatedService要素の上位要素となる。
【０１４０】
serviceId属性には、サービスIDが指定される。サービスを複数配置する場合には、serviceId属性により識別する。serviceType属性には、サービスのタイプ情報が指定される。このタイプ情報としては、例えば、"continuous"，"scripted"，"esg"が指定される。"continuous"は、ビデオやオーディオのサービス、"scripted"はNRTサービス、"esg"はESGサービスであることをそれぞれ示している。
【０１４１】
hidden属性とhiddenGuide属性には、サービスIDにより識別されるサービスが、隠されたサービスであるかどうかが指定される。これらの属性値として"on"が指定された場合、当該サービスは非表示とされる。また、これらの属性値として"off"が指定された場合、当該サービスは表示される。例えば、hidden属性として"on"が指定された場合、当該サービスは、リモートコントローラの操作により選局できないようになる。また、例えば、hiddenGuide属性として"on"が指定された場合、当該サービスは、ESGには表示されないことになる。
【０１４２】
shortName属性とlongName属性には、サービスIDにより識別されるサービスの名称が指定される。ただし、shortName属性では、７文字以内でサービスの名称の名称を指定しなければならない。accesControl属性には、サービスIDにより識別されるサービスが暗号化されているかどうかが指定される。accesControl属性として"on"が指定された場合には、当該サービスが暗号化されていることを示し、"off"が指定された場合には、当該サービスが暗号化されていないことを示している。
【０１４３】
SourceOrigin要素には、サービスを識別するための情報が指定される。SourceOrigin要素は、country属性、originalRFchannelId属性、bbpStreamId属性、及び、serviceId属性の上位要素となる。country属性には、国コードが指定される。originalRFchannelId属性には、オリジナルRFチャンネルIDが指定される。オリジナルRFチャンネルIDは、放送ネットワークを識別するためのIDであって、当該サービスの再送信を行う場合でも、同一の値が用いられる。bbpStreamId属性には、BBPストリームIDが指定される。serviceId属性には、サービスIDが指定される。すなわち、国コード、オリジナルRFチャンネルID、BBPストリームID、及び、サービスIDによって、各サービスに対して、固有のIDを割り当てることができる。
【０１４４】
SCSBootstrap要素には、サービスへのアクセス情報が指定される。SCSBootstrap要素は、hybrid属性、sourceIPAddress属性、destinationIPAddress属性、portNum属性、及び、tsi属性の上位要素となる。hybrid属性には、ハイブリッドサービスに対応したシグナリング情報であるかどうかを示す情報が指定される。例えば、hybrid属性として"basic"が指定された場合、ベーシックサービスに対応していることを示し、hybrid属性として"hybrid"が指定された場合、ハイブリッドサービスに対応していることを示す。sourceIPAddress属性とdestinationIPAddress属性には、サービスを伝送する送信元(source)と宛先(destination)のIPアドレスが指定される。portNum属性には、SCSを伝送するポート番号が指定される。tsi属性には、SCSを伝送するFLUTEセッションにおけるTSIが指定される。
【０１４５】
SignalingOverInternet要素は、通信で伝送されるシグナリング情報に関する情報が指定される。SignalingOverInternet要素は、hybrid属性、及び、url属性の上位要素となる。hybrid属性には、ハイブリッドサービスに対応したシグナリング情報であるかどうかを示す情報が指定される。例えば、hybrid属性として"basic"が指定された場合、ベーシックサービスに対応していることを示し、hybrid属性として"hybrid"が指定された場合、ハイブリッドサービスに対応していることを示す。url属性には、シグナリング情報の取得先を示すURLが指定される。例えば、url属性には、シグナリングサーバのURLが指定される。
【０１４６】
AssociatedService要素には、関連従属サービスに関する情報が指定される。AssociatedService要素は、RFchannelId属性、bbpStreamId属性、及び、serviceId属性の上位要素となる。RFchannelId属性には、関連従属サービスのRFチャンネルIDが指定される。bbpStreamId属性には、関連従属サービスのBBPストリームIDが指定される。serviceId属性には、関連従属サービスのサービスIDが指定される。
【０１４７】
なお、図１４において、出現数(Cardinality)であるが、"1"が指定された場合にはその要素又は属性は必ず１つだけ指定され、"0..1"が指定された場合には、その要素又は属性を指定するかどうかは任意である。また、"1..n"が指定された場合には、その要素又は属性は１以上指定され、"0..n"が指定された場合には、その要素又は属性を１以上指定するかどうかは任意である。これらの出現数の意味は、後述する他のシンタックスでも同様とされる。
【０１４８】
（２）SPDのシンタックス
【０１４９】
（ソリューション１のSPDのシンタックス）
図１５は、ソリューション１のSPDのシンタックスを示す図である。すなわち、図１５のSPDは、上述した図４のベーシックサービスの選局シナリオや、図５のハイブリッドサービスの選局シナリオで用いることができる。なお、SPDは、例えば、XML等のマークアップ言語により記述される。
【０１５０】
図１５に示すように、Spd要素は、serviceId属性、spIndicator属性、ProtocolVersionDescriptor要素、NRTServiceDescriptor要素、CapabilityDescriptor要素、IconDescriptor要素、ISO639LanguageDescriptor要素、ReceiverTargetingDescriptor要素、AssociatedServiceDescriptor要素、ContentAdvisoryDescriptor要素、及び、SignalingOverInternet要素の上位要素となる。
【０１５１】
serviceId属性には、サービスIDが指定される。spIndicator属性には、サービスIDにより識別されるサービスごとに、暗号化されているかどうかが指定される。spIndicator属性として"on"が指定された場合には、当該サービスが暗号化されていることを示し、"off"が指定された場合には、当該サービスが暗号化されていないことを示している。
【０１５２】
ProtocolVersionDescriptor要素には、データのサービスがどのようなサービスであるかを示すための情報が指定される。NRTServiceDescriptor要素には、NRTサービスに関する情報が指定される。CapabilityDescriptor要素には、NRTサービスの提供を受ける受信機に要求される機能(キャパビリティ)に関する情報が指定される。
【０１５３】
IconDescriptor要素には、NRTサービスで用いられるアイコンの取得先を示す情報が指定される。ISO639LanguageDescriptor要素には、NRTサービスの言語コードが指定される。ReceiverTargetingDescriptor要素には、NRTサービスのターゲット情報が指定される。
【０１５４】
AssociatedServiceDescriptor要素には、関連従属サービスに関する情報が指定される。ContentAdvisoryDescriptor要素には、レーティングリージョンに関する情報が指定される。
【０１５５】
SignalingOverInternet要素は、通信で伝送されるシグナリング情報に関する情報が指定される。SignalingOverInternet要素は、hybrid属性、version属性、及び、url属性の上位要素となる。hybrid属性には、ハイブリッドサービスに対応したシグナリング情報であるかどうかを示す情報が指定される。例えば、hybrid属性として"basic"が指定された場合、ベーシックサービスに対応していることを示し、hybrid属性として"hybrid"が指定された場合、ハイブリッドサービスに対応していることを示す。version属性には、シグナリング情報のバージョン情報が指定される。url属性には、シグナリング情報の取得先を示すURLが指定される。例えば、url属性には、シグナリングサーバのURLが指定される。
【０１５６】
SPDにおいては、上述したこれらのDescriptor要素により、サービスレベルでの各種のパラメータが規定される。なお、図１５において、ProtocolVersionDescriptor要素、NRTServiceDescriptor要素、CapabilityDescriptor要素、IconDescriptor要素、ISO639LanguageDescriptor要素、及び、ReceiverTargetingDescriptor要素は、NRTサービス用に規定されるものである。
【０１５７】
（ソリューション２のSPDのシンタックス）
図１６は、ソリューション２のSPDのシンタックスを示す図である。すなわち、図１６のSPDは、上述した図７のベーシックサービスの選局シナリオや、図８のハイブリッドサービスの選局シナリオで用いることができる。
【０１５８】
図１６に示すように、Spd要素は、serviceId属性、spIndicator属性、ProtocolVersionDescriptor要素、NRTServiceDescriptor要素、CapabilityDescriptor要素、IconDescriptor要素、ISO639LanguageDescriptor要素、ReceiverTargetingDescriptor要素、AssociatedServiceDescriptor要素、ContentAdvisoryDescriptor要素、SignalingOverInternet要素、及び、Component要素の上位要素となる。
【０１５９】
図１６のSPDには、サービスレベルとコンポーネントレベルの各種のパラメータが規定されているが、サービスレベルのパラメータについては、図１５のSPDと同様である。
【０１６０】
例えば、SignalingOverInternet要素は、通信で伝送されるシグナリング情報に関する情報が指定される。SignalingOverInternet要素は、hybrid属性、version属性、及び、url属性の上位要素となる。hybrid属性には、ハイブリッドサービスに対応したシグナリング情報であるかどうかを示す情報が指定される。例えば、hybrid属性として"basic"が指定された場合、ベーシックサービスに対応していることを示し、hybrid属性として"hybrid"が指定された場合、ハイブリッドサービスに対応していることを示す。version属性には、シグナリング情報のバージョン情報が指定される。url属性には、シグナリング情報の取得先を示すURLが指定される。例えば、url属性には、シグナリングサーバのURLが指定される。
【０１６１】
なお、SignalingOverInternet要素以外の要素についても、図１５のSPDと同様であるため、その説明は繰り返しになるので、省略する。図１６のSPDでは、Component要素により、コンポーネントレベルでの各種のパラメータが規定される。
【０１６２】
Component要素は、componentId属性、componentType属性、componentEncription属性、ComponentLocation要素、TargetedDeviceDescriptor要素、ContentAdvisoryDescriptor要素、VideoParameters要素、AudioParameters要素、及び、CaptionParameters要素の上位要素となる。
【０１６３】
componentId属性には、他のテーブルとの間のコンポーネントの対応を取るために用いられるコンポーネントIDが指定される。componentType属性には、コンポーネントのタイプ情報が指定される。componentEncription属性には、コンポーネントIDにより識別されるコンポーネントごとに、暗号化されているかどうかが指定される。componentEncription属性として"on"が指定された場合には、当該コンポーネントが暗号化されていることを示し、"off"が指定された場合には、当該コンポーネントが暗号化されていないことを示している。
【０１６４】
ComponentLocation要素には、コンポーネントのロケーション情報が指定される。なお、ComponentLocation要素の詳細な内容は、図１７を参照して後述する。TargetedDeviceDescriptor要素は、ターゲットとなるデバイスの表示に関する情報が指定される。ContentAdvisoryDescriptor要素には、コンポーネント単位での、レーティング情報が指定される。
【０１６５】
VideoParameters要素には、ビデオのパラメータが指定される。VideoParameters要素は、AVCVideoDescriptor要素、及び、HEVCVideoDescriptor要素の上位要素となる。すなわち、ビデオデータの符号化方式として、AVC(Advanced Video Coding)が用いられている場合には、AVCVideoDescriptor要素が指定され、ビデオデータの符号化方式として、HEVC(High Efficiency Video Coding)が用いられている場合には、HEVCVideoDescriptor要素が指定される。なお、AVCとHEVCは、ビデオデータの符号化方式の一例であって、他の符号化方式が用いられる場合には、対応するVideoDescriptor要素が指定されることになる。
【０１６６】
AudioParameters要素には、オーディオのパラメータが指定される。AudioParameters要素は、MPEG4AACAudioDescriptor要素、及び、AC3AudioDescriptor要素の上位要素となる。すなわち、オーディオデータの符号化方式として、MPEG4AAC(Advanced Audio Coding)が用いられている場合には、MPEG4AACAudioDescriptor要素が指定され、オーディオデータの符号化方式として、AC3(Audio Code number 3)が用いられる場合には、AC3AudioDescriptor要素が指定される。なお、MPEG4AACとAC3は、オーディオデータの符号化方式の一例であって、他の符号化方式が用いられる場合には、対応するAudioDescriptor要素が指定されることになる。
【０１６７】
CaptionParameters要素には、字幕のパラメータが指定される。
【０１６８】
（ComponentLocation要素の詳細な内容）
図１７は、図１６のComponentLocation要素の詳細な内容を示す図である。
【０１６９】
ComponentLocation要素には、コンポーネントのロケーション情報が指定される。ComponentLocation要素は、portNumber属性、tsi属性、startToi属性、及び、endToi属性の上位要素となる。portNumber属性には、対象のコンポーネントのポート番号が指定される。tsi属性には、対象のコンポーネントが伝送されるFLUTEセッションのTSIが指定される。startToi属性には、TOIが時系列で変化する場合におけるTOIの開始値が指定される。endToi属性には、TOIが時系列で変化する場合におけるTOIの終了値が指定される。すなわち、startToi属性とendToi属性を指定することで、TOIの開始値から終了値まで、その値が順次インクリメントされる。
【０１７０】
（ソリューション１，２で共通のSPDのシンタックス）
図１８は、ソリューション１，２で共通のSPDのシンタックスを示す図である。すなわち、図１８のSPDは、上述した図１０のシナリオや、図１２のシナリオなどで用いることができる。
【０１７１】
図１８に示すように、Spd要素は、serviceId属性、spIndicator属性、ProtocolVersionDescriptor要素、NRTServiceDescriptor要素、CapabilityDescriptor要素、IconDescriptor要素、ISO639LanguageDescriptor要素、ReceiverTargetingDescriptor要素、AssociatedServiceDescriptor要素、ContentAdvisoryDescriptor要素、及び、SignalingOverInternet要素の上位要素となる。
【０１７２】
なお、図１８のSPDには、サービスレベルの各種のパラメータが規定されているが、このサービスレベルのパラメータについて、ソリューション１向けの図１５のSPDと同様の内容となるものについては、その説明は繰り返しになるので、適宜省略する。すなわち、図１８のSPDは、図１５のSPDと比べて、SignalingOverInternet要素の内容が異なっている。また、ソリューション２向けの図１６のSPDにおいてComponent要素より前の記述の部分を、図１８のSPDのシンタックスにより置換する形となる。すなわち、図１８のSPDは、図１６のSPDと比べて、SignalingOverInternet要素の内容が異なっている。
【０１７３】
SignalingOverInternet要素は、通信で伝送されるシグナリング情報に関する情報が指定される。SignalingOverInternet要素は、hybrid属性、version属性、url属性、minUpdatePeriod属性、及び、endtime属性の上位要素となる。hybrid属性には、ハイブリッドサービスに対応したシグナリング情報であるかどうかを示す情報が指定される。例えば、hybrid属性として"basic"が指定された場合、ベーシックサービスに対応していることを示し、hybrid属性として"hybrid"が指定された場合、ハイブリッドサービスに対応していることを示す。
【０１７４】
version属性には、シグナリング情報のバージョン情報が指定される。url属性には、シグナリング情報の取得先を示すURLが指定される。例えば、url属性には、シグナリングサーバのURLが指定される。minUpdatePeriod属性には、シグナリング情報の更新間隔を示す情報が指定される。endtime属性には、シグナリング情報の通信取得の終了時刻を示す情報が指定される。
【０１７５】
次に、図１９乃至図３１を参照して、SPDに記述されるDescriptor要素の詳細構造について説明する。なお、各Descriptor要素は、例えば、XML等のマークアップ言語により記述される。また、図１９乃至図３１において、要素と属性のうち、属性には「@」が付されている。また、インデントされた要素と属性は、その上位の要素に対して指定されたものとなる。
【０１７６】
（Protocol Version Descriptor）
図１９は、Protocol Version Descriptorのシンタックスを示す図である。
【０１７７】
Protocol Version Descriptor要素には、データのサービスがどのようなサービスであるかを示すための情報が指定される。Protocol Version Descriptor要素は、protocolIdentifier属性、majorProtocolVersion属性、及び、minorProtocolVersion属性の上位要素となる。
【０１７８】
protocolIdentifier属性には、データのサービスのフォーマットのタイプ情報が指定される。このタイプ情報としては、例えば、"A/90"，"NRT"が指定される。"A/90"は、汎用のデータを伝送する方式であることを示す。また、"NRT"は、NRT(Non-RealTime)により伝送する方式であることを示す。
【０１７９】
majorProtocolVersion属性とminorProtocolVersion属性には、データのサービスのバージョンが指定される。majorProtocolVersion属性には、メジャーバージョン、minorProtocolVersion属性には、マイナーバージョンがそれぞれ指定される。
【０１８０】
（NRT Service Descriptor）
図２０は、NRT Service Descriptorのシンタックスを示す図である。
【０１８１】
NRTServiceDescriptor要素には、NRTサービスに関する情報が指定される。NRTServiceDescriptor要素は、ConsumptionModel属性、autoUpdate属性、storageReservarion属性、及び、defaultContentSize属性の上位要素となる。
【０１８２】
ConsumptionModel属性には、NRTサービスの伝送モードが指定される。この伝送モードとしては、例えば、"B&D"，"push"，"portal"，"triggered"が指定される。"B&D"は、Browse and Downloadの略で、ユーザにより選択されたNRTコンテンツのファイルデータをダウンロードするモードである。"push"は、契約したNRTサービスをプッシュ型で提供するモードである。"portal"は、HTML形式のファイルなどを伝送して直ちに表示するモードである。"triggered"は、アプリケーションを提供するモードである。
【０１８３】
autoUpdate属性には、NRTサービスが自動更新されるかどうかが指定される。autoUpdate属性として"on"が指定された場合には、当該NRTサービスが自動更新されることを示し、"off"が指定された場合には、当該NRTサービスが自動更新されないことを示している。storageReservarion属性には、必要とされるストレージの容量が指定される。defaultContentSize属性には、NRTコンテンツ１つ当たりのサイズが指定される。
【０１８４】
（Capability Descriptor）
図２１は、Capability Descriptorのシンタックスを示す図である。
【０１８５】
Capability Descriptor要素には、NRTサービスの提供を受ける受信機に要求される機能(キャパビリティ)に関する情報が指定される。Capability Descriptor要素は、IndivisualCapabilityCodes要素、IndivisualCapabilityString要素、及び、CapabilityOrSets要素の上位要素となる。
【０１８６】
IndivisualCapabilityCodes要素は、essentialIndicator属性、capabilityCode属性、及び、formatIdentifier属性の上位要素となる。essentialIndicator属性には、キャパビリティが必須であるかどうかを示す情報が指定される。capabilityCode属性には、あらかじめ定められたキャパビリティのコードが指定される。すなわち、essentialIndicator属性とcapabilityCode属性により、キャパビリティのコードにより指定されるキャパビリティが必須であるかどうかが指定される。formatIdentifier属性には、キャパビリティのコードを任意に指定する場合に、評価すべき機能(キャパビリティ)が指定される。
【０１８７】
IndivisualCapabilityString要素は、essentialIndicator属性、capabilityCategoryCode属性、及び、capabilityString属性の上位要素となる。essentialIndicator属性には、キャパビリティが必須であるかどうかを示す情報が指定される。capabilityCategoryCode属性には、キャパビリティのカテゴリごとのコードが指定される。すなわち、essentialIndicator属性とcapabilityCategoryCode属性により、キャパビリティのカテゴリごとのコードにより指定されるキャパビリティが必須であるかどうかが指定される。capabilityString属性には、キャパビリティのカテゴリごとに、評価すべき機能(キャパビリティ)が指定される。
【０１８８】
CapabilityOrSets要素は、上述したIndivisualCapabilityCodes要素によるキャパビリティのコードごとの評価と、IndivisualCapabilityString要素によるキャパビリティのカテゴリのコードごとの評価を、OR条件で指定する場合に指定される。したがって、CapabilityOrSets要素は、essentialIndicator属性、CapabilityCodesInSets要素、及び、CapabilityStringsInSets要素の上位要素となるが、essentialIndicator属性は、上述したessentialIndicator属性に対応している。
【０１８９】
また、CapabilityCodesInSets要素におけるcapabilityCode属性と、formatIdentifier属性は、上述したIndivisualCapabilityCodes要素におけるcapabilityCode属性と、formatIdentifier属性に対応している。さらに、CapabilityStringsInSets要素におけるcapabilityCategoryCode属性と、capabilityString属性は、上述したIndivisualCapabilityString要素におけるcapabilityCategoryCode属性と、capabilityString属性に対応している。
【０１９０】
（Icon Descriptor）
図２２は、Icon Descriptorのシンタックスを示す図である。
【０１９１】
IconDescriptor要素には、NRTサービスで用いられるアイコンの取得先を示す情報が指定される。IconDescriptor要素は、content_linkage属性の上位要素となる。content_linkage属性には、アイコンの取得先を示すURLが指定される。
【０１９２】
（ISO-639 Language Descriptor）
図２３は、ISO-639 Language Descriptorのシンタックスを示す図である。
【０１９３】
ISO639LanguageDescriptor要素は、NRTサービスの言語コードが指定される。ISO639LanguageDescriptor要素は、languageCode属性の上位要素となる。languageCode属性には、ISO 639で規定された言語コードが指定される。
【０１９４】
（Receiver Targeting Descriptor）
図２４は、Receiver Targeting Descriptorのシンタックスを示す図である。
【０１９５】
ReceiverTargetingDescriptor要素には、NRTサービスのターゲット情報が指定される。ReceiverTargetingDescriptor要素は、TargetEntry要素の上位要素となる。TargetEntry要素は、geoLocation属性、postalCode属性、及び、demographic category属性の上位要素となる。
【０１９６】
geoLocation属性には、NRTサービスのターゲットとなる地理的な位置が指定される。postalCode属性には、NRTサービスのターゲットとなる地域の郵便番号が指定される。demographic category属性は、NRTサービスのターゲットとなるユーザのカテゴリが指定される。このカテゴリとしては、例えば、"males"，"females"，"Ages 12-17"が指定される。"males"は、NRTサービスのターゲットが男性であることを示す。"females"は、NRTサービスのターゲットが女性であることを示す。"Ages 12-17"は、NRTサービスのターゲットが12歳から17歳であることを示す。
【０１９７】
（Associated Service Descriptor）
図２５は、Associated Service Descriptorのシンタックスを示す図である。
【０１９８】
AssociatedServiceDescriptor要素には、関連従属サービスに関する情報が指定される。AssociatedServiceDescriptor要素は、RFchannelId属性、BBPStreamId属性、及び、serviceId属性の上位要素となる。RFchannelId属性には、RFチャンネルIDが指定される。BBPStreamId属性には、BBPストリームIDが指定される。serviceId属性には、サービスIDが指定される。すなわち、関連従属サービスはトリプレットにより指定されることになる。
【０１９９】
（Content Advisory Descriptor）
図２６は、Content Advisory Descriptorのシンタックスを示す図である。
【０２００】
Content Advisory Descriptor要素には、レーティングリージョンに関する情報が指定される。Content Advisory Descriptor要素は、version属性、及び、RatingRegion要素の上位要素となる。version属性には、RRTのバージョン情報が指定される。
【０２０１】
RatingRegion要素は、ratingRegionId属性、及び、RatingDimension要素の上位要素となる。ratingRegionId属性には、レーティングリージョンIDが指定される。RatingDimension要素は、dimensionIndex属性、ratingValue属性、及び、ratingTag属性の上位要素となる。これらの属性により、年齢制限の区分けの仕方などのレーティング情報が指定される。
【０２０２】
（AVC Video Descriptor）
図２７は、AVC Video Descriptorのシンタックスを示す図である。
【０２０３】
AVC Video Descriptor要素には、ビデオデータの符号化方式として、AVCが用いられる場合に、AVCのコーデックの内容に関する情報が指定される。AVC Video Descriptor要素は、profileIdc属性、constraintSet0属性、constraintSet1属性、constraintSet2属性、AVCCompatibleFlags属性、levelIdc属性、stillPresent属性、及び、24HourPicture属性の上位要素となる。これらの属性により、AVCのコーデックの内容に関する情報が指定される。
【０２０４】
（HEVC Video Descriptor）
図２８は、HEVC Video Descriptorのシンタックスを示す図である。
【０２０５】
HEVCVideoDescriptor要素には、ビデオデータの符号化方式として、HEVCが用いられる場合に、HEVCのコーデックの内容に関する情報が指定される。HEVCVideoDescriptor要素は、profileSpace属性、tierFlag属性、profileIdc属性、profileCompatibilityIndication属性、progressiveSourceFlag属性、nonPackedConstraintFlag属性、frameOnlyConstraintFlag属性、levelIdc属性、temporalLayerSubsetFlag属性、stillPresent属性、24HourPicture属性、temporalIdMin属性、及び、temporalIdMax属性の上位要素となる。これらの属性により、HEVCのコーデックの内容に関する情報が指定される。
【０２０６】
（MPEG4 AAC Audio Descriptor）
図２９は、MPEG4 AAC Audio Descriptorのシンタックスを示す図である。
【０２０７】
MPEG4AACAudioDescriptor要素には、オーディオデータの符号化方式として、MPEG4AACが用いられる場合に、AACのコーデックの内容に関する情報が指定される。MPEG4AACAudioDescriptor要素は、profile属性、level属性、channelConfig属性、AACServiceType属性、receiverMixRqd属性、mainId属性、asvc属性、language属性、及び、componentName属性の上位属性となる。これらの属性により、AACのコーデックの内容に関する情報が指定される。
【０２０８】
（AC3 Audio Descriptor）
図３０は、AC3 Audio Descriptorのシンタックスを示す図である。
【０２０９】
AC3AudioDescriptor要素は、オーディオデータの符号化方式として、AC3が用いられる場合に、AC3のコーデックの内容に関する情報が指定される。AC3AudioDescriptor要素は、sampleRateCode属性、bsId属性、bitRateCode属性、bsMod属性、numChannels属性、fullSvc属性、langcod属性、mainId属性、priority属性、textCod属性、及び、language属性の上位要素となる。これらの属性により、AC3のコーデックの内容に関する情報が指定される。
【０２１０】
（Caption Parameters）
図３１は、Caption Parametersのシンタックスを示す図である。
【０２１１】
Caption Parameters要素には、字幕の内容に関する情報が指定される。Caption Parameters要素は、captionServiceNumber属性、language属性、easyReader属性、及び、wideAspectRatio属性の上位要素となる。これらの属性により、字幕の内容に関する情報が指定される。
【０２１２】
なお、図１４乃至図３１を参照して説明したSCD、SPD、及び、SPDのDescriptor要素の各シンタックスは一例であって、他のシンタックスを採用することができる。
【０２１３】
＜６．システム構成＞
【０２１４】
（放送通信システムの構成）
図３２は、放送通信システムの構成例を示す図である。
【０２１５】
図３２に示すように、放送通信システム１は、データ提供サーバ１０、送信装置２０、ストリーミングサーバ３０、シグナリングサーバ４０、及び、受信装置６０から構成される。図３２において、受信装置６０は、インターネット９０を介して、ストリーミングサーバ３０及びシグナリングサーバ４０と相互に接続されている。なお、図３２において、データ提供サーバ１０、ストリーミングサーバ３０、及び、シグナリングサーバ４０は、インターネットサーバを構成している。
【０２１６】
データ提供サーバ１０は、ビデオデータやオーディオデータ等のコンポーネントを、送信装置２０及びストリーミングサーバ３０に提供する。また、データ提供サーバ１０は、シグナリング情報の元データを、送信装置２０及びシグナリングサーバ４０に提供する。
【０２１７】
送信装置２０は、データ提供サーバ１０から提供されるコンポーネントを、IP伝送方式を用いたデジタル放送の放送波によって送信する。また、送信装置２０は、データ提供サーバ１０から提供されるシグナリング情報の元データを用いて、シグナリング情報を生成し、コンポーネントとともに、IP伝送方式を用いたデジタル放送の放送波で送信する。なお、送信装置２０は、上述した送信機（例えば図４等）に対応するものであり、例えば放送事業者により提供される。
【０２１８】
ストリーミングサーバ３０は、受信装置６０からの要求に応じて、データ提供サーバ１０から提供されるコンポーネントをストリームとして、インターネット９０を介してストリーミング配信する。なお、ストリーミングサーバ３０は、上述したストリーミングサーバ（例えば図５等）に対応するものであり、例えば放送事業者により提供される。また、ストリーミングサーバ３０は、運用形態に応じて複数設置することができる。
【０２１９】
シグナリングサーバ４０は、データ提供サーバ１０から提供されるシグナリング情報の元データを用い、シグナリング情報を生成する。シグナリングサーバ４０は、受信装置６０からの要求に応じて、シグナリング情報を、インターネット９０を介して提供する。なお、シグナリングサーバ４０は、上述したシグナリングサーバ（例えば図５等）に対応するものであり、例えば放送事業者により提供される。また、シグナリングサーバ４０は、運用形態に応じて複数設置することができる。
【０２２０】
受信装置６０は、送信装置２０から送信されるデジタル放送の放送波を受信し、当該デジタル放送の放送波で伝送されるシグナリング情報を取得する。また、受信装置６０は、インターネット９０を介してシグナリングサーバ４０にアクセスして、シグナリングサーバ４０から提供されるシグナリング情報を取得する。
【０２２１】
受信装置６０は、放送又は通信で取得されたシグナリング情報に基づいて、送信装置２０から送信されるデジタル放送の放送波で伝送されるコンポーネント、又は、ストリーミングサーバ３０からインターネット９０を介してストリーミング配信されるコンポーネントを取得する。受信装置６０は、放送又は通信で取得されたコンポーネントに基づいて、映像をディスプレイに表示するとともに、その映像に同期した音声をスピーカから出力する。
【０２２２】
なお、受信装置６０は、上述した受信機（例えば図４等）に対応するものであり、例えば各家庭等に設置される。また、受信装置６０は、ディスプレイやスピーカを含んで構成されるようにしてもよいし、テレビジョン受像機やビデオレコーダ等に内蔵されるようにしてもよい。
【０２２３】
放送通信システム１は、以上のように構成される。次に、図３２の放送通信システム１を構成する各装置の詳細な構成について説明する。
【０２２４】
（送信装置の構成）
図３３は、図３２の送信装置の構成例を示す図である。
【０２２５】
図３３に示すように、送信装置２０は、通信部２０１、セグメントデータ生成部２０２、シグナリング情報生成部２０３、Mux２０４、及び、送信部２０５から構成される。
【０２２６】
通信部２０１は、コンポーネント取得部２１１及びシグナリング情報取得部２１２から構成される。コンポーネント取得部２１１は、データ提供サーバ１０から提供されるビデオデータやオーディオデータを取得し、セグメントデータ生成部２０２に供給する。また、シグナリング情報取得部２１２は、データ提供サーバ１０から提供されるシグナリング情報の元データを取得し、シグナリング情報生成部２０３に供給する。
【０２２７】
セグメントデータ生成部２０２は、コンポーネント取得部２１１から供給されるビデオデータやオーディオデータに基づいて、セグメントデータを生成し、Mux２０４に供給する。シグナリング情報生成部２０３は、シグナリング情報取得部２１２から供給されるシグナリング情報の元データに基づいて、シグナリング情報を生成し、Mux２０４に供給する。なお、データ提供サーバ１０は、シグナリング情報の元データではなく、シグナリング情報そのものを提供するようにしてもよく、その場合には、シグナリング情報取得部２１２により取得されたシグナリング情報がそのまま、Mux２０４に供給される。
【０２２８】
Mux２０４は、セグメントデータ生成部２０２から供給されるセグメントデータと、シグナリング情報生成部２０３から供給されるシグナリング情報を多重化して、BBPストリームを生成し、送信部２０５に供給する。送信部２０５は、Mux２０４から供給されるBBPストリームを変調し、アンテナ２２１を介してIP伝送方式を用いたデジタル放送の放送波として送信する。なお、このとき、セグメントデータやシグナリング情報(SCS)は、例えばFLUTEセッションで伝送されることになる。
【０２２９】
（インターネットサーバの構成）
図３４は、図３２のインターネットサーバの構成例を示す図である。図３４に示すように、インターネットサーバは、データ提供サーバ１０、ストリーミングサーバ３０、及び、シグナリングサーバ４０から構成される。
【０２３０】
（データ提供サーバの構成）
データ提供サーバ１０は、制御部１０１、コンポーネント蓄積部１０２、及び、通信部１０３から構成される。制御部１０１は、データ提供サーバ１０の各部の動作を制御する。コンポーネント蓄積部１０２は、ビデオデータやオーディオデータ等の各種のコンポーネントや、シグナリング情報の元データを蓄積している。
【０２３１】
通信部１０３は、制御部１０１からの制御に従い、コンポーネント蓄積部１０２に蓄積されたコンポーネントとシグナリング情報の元データを、送信装置２０に提供する。また、通信部１０３は、制御部１０１からの制御に従い、コンポーネント蓄積部１０２に蓄積されたコンポーネントを、ストリーミングサーバ３０に提供する。さらにまた、通信部１０３は、制御部１０１からの制御に従い、コンポーネント蓄積部１０２に蓄積されたシグナリング情報の元データを、シグナリングサーバ４０に提供する。
【０２３２】
（ストリーミングサーバの構成）
ストリーミングサーバ３０は、制御部３０１、通信部３０２、及び、セグメントデータ生成部３０３から構成される。制御部３０１は、ストリーミングサーバ３０の各部の動作を制御する。通信部３０２は、制御部３０１からの制御に従い、データ提供サーバ１０から提供されるビデオデータやオーディオデータを、セグメントデータ生成部３０３に供給する。
【０２３３】
セグメントデータ生成部３０３は、通信部３０２から供給されるビデオデータやオーディオデータに基づいて、セグメントデータを生成する。セグメントデータ生成部３０３は、制御部３０１からの制御に従い、セグメントデータを、通信部３０２に供給する。通信部３０２は、受信装置６０からの要求に応じて、セグメントデータ生成部３０３から供給されるセグメントデータを、インターネット９０を介して受信装置６０にストリーミング配信する。
【０２３４】
（シグナリングサーバの構成）
シグナリングサーバ４０は、制御部４０１、通信部４０２、及び、シグナリング情報生成部４０３から構成される。制御部４０１は、シグナリングサーバ４０の各部の動作を制御する。通信部４０２は、制御部４０１からの制御に従い、データ提供サーバ１０から提供されるシグナリング情報の元データを、シグナリング情報生成部４０３に供給する。
【０２３５】
シグナリング情報生成部４０３は、通信部４０２から供給されるシグナリング情報の元データに基づいて、シグナリング情報を生成する。シグナリング情報生成部４０３は、制御部４０１からの制御に従い、シグナリング情報を、通信部４０２に供給する。通信部４０２は、受信装置６０からの要求に応じて、シグナリング情報生成部４０３から供給されるシグナリング情報を、インターネット９０を介して受信装置６０に提供する。
【０２３６】
なお、図３２及び図３４においては、説明の都合上、インターネットサーバとして、データ提供サーバ１０、ストリーミングサーバ３０、及び、シグナリングサーバ４０は別個の装置であるとして説明しているが、インターネットサーバは、図３４に示した機能的構成を有していればよく、例えば、データ提供サーバ１０、ストリーミングサーバ３０、及び、シグナリングサーバ４０を、１つの装置として捉えるようにしてもよい。その際、例えば、制御部や通信部などの重複した機能については１つにまとめることができる。
【０２３７】
（受信装置の構成）
図３５は、図３２の受信装置の構成例を示す図である。
【０２３８】
図３５に示すように、受信装置６０は、制御部６０１、NVRAM６０２、入力部６０３、チューナ６０４、Demux６０５、ビデオ選択部６０６、オーディオ選択部６０７、通信部６０８、Demux６０９、ビデオデコーダ６１０、ビデオ出力部６１１、オーディオデコーダ６１２、及び、オーディオ出力部６１３から構成される。
【０２３９】
制御部６０１は、受信装置６０の各部の動作を制御する。NVRAM６０２は、不揮発性メモリであって、制御部６０１からの制御に従い、各種のデータを記録する。入力部６０３は、ユーザの操作に応じて、操作信号を制御部６０１に供給する。制御部６０１は、入力部６０３から供給される操作信号に基づいて、受信装置６０の各部の動作を制御する。
【０２４０】
チューナ６０４は、制御部６０１からの制御に従い、アンテナ６２１を介して受信したIP伝送方式を用いたデジタル放送の放送波から、選局が指示された特定のサービスの放送信号を抽出して復調し、その結果得られるBBPストリームを、Demux６０５に供給する。
【０２４１】
Demux６０５は、制御部６０１からの制御に従い、チューナ６０４から供給されるBBPストリームを、ビデオデータやオーディオデータと、シグナリング情報に分離して、ビデオデータをビデオ選択部６０６に、オーディオデータをオーディオ選択部６０７にそれぞれ供給する。また、Demux６０５は、シグナリング情報を制御部６０１に供給する。制御部６０１は、Demux６０５から供給されるシグナリング情報に基づいて、放送で伝送されるコンポーネントを取得するための各部の動作を制御する。
【０２４２】
なお、セグメントデータやシグナリング情報が、FLUTEセッションで伝送されている場合、Demux６０５は、制御部６０１からの制御に従い、IPアドレスやポート番号、TSI，TOIなどを用いたフィルタリング処理を行うことで、ビデオデータやオーディオデータ、シグナリング情報が得られることになる。
【０２４３】
通信部６０８は、制御部６０１からの制御に従い、インターネット９０を介してストリーミングサーバ３０に、ストリームの配信を要求する。通信部６０８は、インターネット９０を介してストリーミングサーバ３０からストリーミング配信されるストリームを受信して、Demux６０９に供給する。
【０２４４】
Demux６０９は、制御部６０１からの制御に従い、通信部６０８から供給されるストリームを、ビデオデータやオーディオデータに分離し、ビデオデータをビデオ選択部６０６に、オーディオデータをオーディオ選択部６０７にそれぞれ供給する。なお、例えば、ストリーミングサーバ３０から配信されるストリームがオーディオのみである場合には、Demux６０９は、コンポーネントの分離を行わずに、そのオーディオデータをオーディオ選択部６０７に供給する。
【０２４５】
また、通信部６０８は、制御部６０１からの制御に従い、インターネット９０を介してシグナリングサーバ４０に、シグナリング情報を要求する。通信部６０８は、インターネット９０を介してシグナリングサーバ４０から送信されるシグナリング情報を受信して、制御部６０１に供給する。制御部６０１は、通信部６０８から供給されるシグナリング情報に基づいて、放送又は通信で伝送されるコンポーネントを取得するための各部の動作を制御する。
【０２４６】
ビデオ選択部６０６は、制御部６０１からの制御に従い、Demux６０５から供給されるビデオデータと、Demux６０９から供給されるビデオデータのいずれか一方を、ビデオデコーダ６１０に供給する。
【０２４７】
ビデオデコーダ６１０は、ビデオ選択部６０６から供給されるビデオデータを復号し、ビデオ出力部６１１に供給する。ビデオ出力部６１１は、ビデオデコーダ６１０から供給されるビデオデータを、後段のディスプレイ（不図示）に供給する。これにより、ディスプレイには、例えば番組の映像が表示される。
【０２４８】
オーディオ選択部６０７は、制御部６０１からの制御に従い、Demux６０５から供給されるオーディオデータと、Demux６０９から供給されるオーディオデータのいずれか一方を、オーディオデコーダ６１２に供給する。
【０２４９】
オーディオデコーダ６１２は、オーディオ選択部６０７から供給されるオーディオデータを復号し、オーディオ出力部６１３に供給する。オーディオ出力部６１３は、オーディオデコーダ６１２から供給されるオーディオデータを、後段のスピーカ（不図示）に供給する。これにより、スピーカからは、例えば番組の映像に対応する音声が出力される。
【０２５０】
＜７．各装置で実行される処理の流れ＞
【０２５１】
次に、図３２の放送通信システム１を構成する各装置で実行される処理の流れについて、図３６乃至図３９のフローチャートを参照して説明する。
【０２５２】
（送信処理）
まず、図３６のフローチャートを参照して、図３２の送信装置２０により実行される送信処理について説明する。
【０２５３】
ステップＳ２０１において、コンポーネント取得部２１１は、データ提供サーバ１０から提供されるコンポーネントを取得する。ここでは、コンポーネントとして、例えば、ビデオデータとオーディオデータが取得され、セグメントデータ生成部２０２に供給される。ステップＳ２０２において、セグメントデータ生成部２０２は、コンポーネント取得部２１１から供給されるビデオデータとオーディオデータに基づいて、セグメントデータを生成し、Mux２０４に供給する。
【０２５４】
ステップＳ２０３において、シグナリング情報取得部２１２は、データ提供サーバ１０から提供されるシグナリング情報の元データを取得し、シグナリング情報生成部２０３に供給する。ステップＳ２０４において、シグナリング情報生成部２０３は、シグナリング情報取得部２１２から供給されるシグナリング情報の元データに基づいて、シグナリング情報を生成し、Mux２０４に供給する。なお、シグナリング情報が、データ提供サーバ１０から提供される場合には、シグナリング情報取得部２１２により取得されたシグナリング情報が、Mux２０４に供給されることになる。
【０２５５】
ステップＳ２０５において、Mux２０４は、セグメントデータ生成部２０２から供給されるセグメントデータと、シグナリング情報生成部２０３から供給されるシグナリング情報を多重化して、BBPストリームを生成し、送信部２０５に供給する。ステップＳ２０６において、送信部２０５は、Mux２０４から供給されるBBPストリームを変調し、アンテナ２２１を介してIP伝送方式を用いたデジタル放送の放送波として送信する。
【０２５６】
なお、このとき、セグメントデータやシグナリング情報(SCS)は、例えばFLUTEセッションで伝送されることになる。ステップＳ２０６の処理が終了すると、図３６の送信処理は終了される。
【０２５７】
以上、送信処理について説明した。
【０２５８】
（ストリーミング配信処理）
次に、図３７のフローチャートを参照して、図３２のストリーミングサーバ３０により実行されるストリーミング配信処理について説明する。
【０２５９】
ステップＳ３０１において、通信部３０２は、制御部３０１からの制御に従い、データ提供サーバ１０から提供されるコンポーネントを取得する。ここでは、コンポーネントとして、例えば、ビデオデータとオーディオデータが取得され、セグメントデータ生成部３０３に供給される。ステップＳ３０２において、セグメントデータ生成部３０３は、制御部３０１からの制御に従い、通信部３０２から供給されるビデオデータとオーディオデータに基づいて、セグメントデータを生成する。
【０２６０】
ステップＳ３０３において、制御部３０１は、通信部３０２の通信状況を監視して、受信装置６０からストリーミング配信の要求を受信したかどうかを判定する。ステップＳ３０３においては、受信装置６０からストリーミング配信が要求されるのを待って、処理はステップＳ３０４に進められる。
【０２６１】
ステップＳ３０４において、通信部３０２は、制御部３０１からの制御に従い、セグメントデータ生成部３０３から供給されるセグメントデータをストリームとして、インターネット９０を介して受信装置６０にストリーミング配信する。ステップＳ３０４の処理が終了すると、図３７のストリーミング配信処理は終了される。
【０２６２】
以上、ストリーミング配信処理について説明した。
【０２６３】
（シグナリング情報提供処理）
次に、図３８のフローチャートを参照して、図３２のシグナリングサーバ４０により実行されるシグナリング情報提供処理について説明する。
【０２６４】
ステップＳ４０１において、通信部４０２は、制御部４０１からの制御に従い、データ提供サーバ１０から提供されるシグナリング情報の元データを取得し、シグナリング情報生成部４０３に供給する。ステップＳ４０２において、シグナリング情報生成部４０３は、制御部４０１からの制御に従い、通信部４０２から供給されるシグナリング情報の元データに基づいて、シグナリング情報を生成する。
【０２６５】
ステップＳ４０３において、制御部４０１は、通信部４０２の通信状況を監視して、受信装置６０からシグナリング情報の要求を受信したかどうかを判定する。ステップＳ４０３においては、受信装置６０からシグナリング情報が要求されるのを待って、処理はステップＳ４０４に進められる。
【０２６６】
ステップＳ４０４において、通信部４０２は、制御部４０１からの制御に従い、シグナリング情報生成部４０３から供給されるシグナリング情報を、インターネット９０を介して受信装置６０に提供する。ステップＳ４０４の処理が終了すると、図３８のシグナリング情報提供処理は終了される。
【０２６７】
以上、シグナリング情報提供処理について説明した。
【０２６８】
（選局処理）
最後に、図３９のフローチャートを参照して、図３２の受信装置６０により実行される選局処理について説明する。なお、受信装置６０においては、この選局処理に先立って、初期スキャンが行われており、NVRAM６０２には、SCD等の選局情報が記録されているものとする。
【０２６９】
ステップＳ６０１において、制御部６０１は、入力部６０３から供給される操作信号に基づいて、ユーザにより選局操作が行われたかどうかが判定される。ステップＳ６０１においては、例えばユーザによるリモートコントローラの操作によって、選局操作がされるのを待って、処理は、ステップＳ６０２に進められる。ステップＳ６０２において、制御部６０１は、シグナリング情報を放送から取得するかどうかを判定する。
【０２７０】
ステップＳ６０２において、シグナリング情報を放送から取得すると判定された場合、処理はステップＳ６０３に進められる。ステップＳ６０３において、制御部６０１は、NVRAM６０２から読み出されたSCDのSCS Bootstrap情報に従い、Demux６０５を制御して、放送で伝送されているSCSに接続して、シグナリング情報(SCS)を取得する。ここでは、例えば、ベーシックサービス（図４等）の場合には、放送で伝送されるコンポーネントのみが取得されるので、放送で伝送されるシグナリング情報が取得される。
【０２７１】
一方、ステップＳ６０２において、シグナリング情報を通信から取得すると判定された場合、処理はステップＳ６０４に進められる。ステップＳ６０４において、制御部６０１は、NVRAM６０２から読み出されたSCDのSignalingOverInternet要素のurl属性に指定されたURLに従い、通信部６０８を制御して、インターネット９０を介してシグナリングサーバ４０にアクセスして、シグナリング情報を取得する。ここでは、例えば、ハイブリッドサービス（図５等）の場合、放送と通信で伝送されるコンポーネントが取得されるので、通信で伝送されるシグナリング情報が取得される。
【０２７２】
ステップＳ６０３又はステップＳ６０４の処理によって、放送又は通信で伝送されるシグナリング情報が取得されると、処理はステップＳ６０５に進められる。ステップＳ６０５において、制御部６０１は、ステップＳ６０３又はステップＳ６０４の処理で取得されたシグナリング情報を解析する。この解析処理によって、ビデオやオーディオのコンポーネント(ストリーム)の取得先が特定される。
【０２７３】
ステップＳ６０６において、制御部６０１は、ステップＳ６０５の解析処理の結果に従い、ストリームが放送で伝送されているかどうかを判定する。ステップＳ６０６において、ストリームが放送で伝送されていると判定された場合、処理はステップＳ６０７に進められる。
【０２７４】
ステップＳ６０７において、制御部６０１は、チューナ６０４やDemux６０５等を制御して、放送で伝送されるビデオやオーディオのコンポーネントを取得する。このようにして取得されるビデオデータやオーディオデータは、後段のビデオ選択部６０６やオーディオ選択部６０７に供給される。例えば、ベーシックサービス（図４等）やハイブリッドサービス（図５等）では、ビデオやオーディオのコンポーネントが放送で伝送されるので、それらのコンポーネントを取得するためのIPアドレス、ポート番号、TSI、及び、TOIが特定され、FLUTEセッションで伝送されているストリームに接続することで、セグメントデータが取得され、ビデオデータやオーディオデータが得られる。
【０２７５】
なお、ステップＳ６０６において、ストリームが放送で伝送されていないと判定された場合、ステップＳ６０７はスキップされ、処理は、ステップＳ６０８に進められる。ステップＳ６０８において、制御部６０１は、ステップＳ６０５の解析処理の結果に従い、ストリームが通信で伝送されているかどうかを判定する。ステップＳ６０８において、ストリームが通信で伝送されていると判定された場合、処理はステップＳ６０９に進められる。
【０２７６】
ステップＳ６０９において、制御部６０１は、通信部６０８やDemux６０９等を制御して、通信で伝送されているビデオやオーディオのコンポーネントを取得する。このようにして取得されるビデオデータやオーディオデータは、後段のビデオ選択部６０６やオーディオ選択部６０７に供給される。例えば、ハイブリッドサービス（図５等）では、ビデオやオーディオのコンポーネントが通信で伝送されるので、MPDのセグメントURLに従い、インターネット９０を介してストリーミングサーバ３０にアクセスして、ビデオやオーディオのストリームに接続することで、セグメントデータが取得され、ビデオデータやオーディオデータが得られる。
【０２７７】
なお、ステップＳ６０８において、ストリームが通信で伝送されていないと判定された場合、ステップＳ６０９はスキップされ、処理は、ステップＳ６１０に進められる。すなわち、ステップＳ６０６乃至Ｓ６０９の処理によって、放送又は通信で伝送されるコンポーネントが取得され、ビデオデータやオーディオデータが得られることになる。そして、ビデオデータは、ビデオ選択部６０６を介してビデオデコーダ６１０に供給され、オーディオデータは、オーディオ選択部６０７を介してオーディオデコーダ６１２に供給される。
【０２７８】
ステップＳ６１０において、ビデオデコーダ６１０は、ビデオ選択部６０６から供給されるビデオデータを復号し、ビデオ出力部６１１に供給する。また、オーディオデコーダ６１２は、オーディオ選択部６０７から供給されるオーディオデータを復号し、オーディオ出力部６１３に供給する。
【０２７９】
ステップＳ６１１において、ビデオ出力部６１１は、ビデオデコーダ６１０から供給されるビデオデータを、後段のディスプレイ（不図示）に供給する。また、オーディオ出力部６１３は、オーディオデコーダ６１２から供給されるオーディオデータを、後段のスピーカ（不図示）に供給する。これにより、ディスプレイには番組等の映像が表示され、スピーカからはその映像に同期した音声が出力される。ステップＳ６１１の処理が終了すると、図３９の選局処理は終了される。
【０２８０】
以上、選局処理について説明した。
【０２８１】
なお、上述した説明では、シグナリング情報の名称として、Descriptionの略である「D」を用いたが、Tableの略である「T」が用いられる場合がある。例えば、SCD(Service Configuration Description)は、SCT(Service Configuration Table)と記述される場合がある。また、例えば、SPD(Service Parameter Description)は、SPT(Service Parameter Table)と記述される場合がある。ただし、これらの名称の違いは、「Description」と「Table」との形式的な違いであって、各シグナリング情報の実質的な内容が異なるものではない。
【０２８２】
＜８．コンピュータの構成＞
【０２８３】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図４０は、上述した一連の処理をプログラムにより実行するコンピュータのハードウェアの構成例を示す図である。
【０２８４】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２８５】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２８６】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０２８７】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２８８】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２８９】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２９０】
なお、本技術の実施の形態は、上述した実施の形態に限定されるものではなく、本技術の要旨を逸脱しない範囲において種々の変更が可能である。
【０２９１】
また、本技術は、以下のような構成をとることができる。
【０２９２】
（１）
IP(Internet Protocol)伝送方式を用いたデジタル放送の放送波を受信する受信部と、
前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作を制御する制御部と
を備える受信装置。
（２）
前記第１のシグナリング情報は、サービス単位の情報であって、FLUTE(File Delivery over Unidirectional Transport)セッションで伝送される前記放送コンポーネントを取得するための複数の管理情報を含んでいる
（１）に記載の受信装置。
（３）
前記第１のシグナリング情報は、サービス単位の情報であって、FLUTEセッションで伝送される前記放送コンポーネントを取得するための複数の管理情報を、コンポーネントのレベルで規定されたパラメータとして集約した１つの管理情報を含んでいる
（１）に記載の受信装置。
（４）
前記第１のシグナリング情報及び前記第２のシグナリング情報は、前記第２のシグナリング情報に関する情報を、サービスのレベルでのパラメータとして規定している管理情報を含んでいる
（１）乃至（３）のいずれか一項に記載の受信装置。
（５）
前記管理情報は、前記第２のシグナリング情報に関する情報として、シグナリング情報の範囲を示す情報、バージョン情報、及び、取得先を示すURL(Uniform Resource Locator)を含んでいる
（４）に記載の受信装置。
（６）
前記管理情報は、前記第２のシグナリング情報に関する情報として、前記第２のシグナリング情報の更新間隔を示す情報をさらに含む
（５）に記載の受信装置。
（７）
前記管理情報は、前記第２のシグナリング情報に関する情報として、前記第２のシグナリング情報の取得終了のタイミングを示す情報をさらに含む
（５）又は（６）に記載の受信装置。
（８）
前記第２のシグナリング情報は、サービス単位の情報であって、前記放送コンポーネントを取得するための複数の管理情報と、前記通信コンポーネントを取得するための管理情報として、MPEG-DASH(Moving Picture Expert Group - Dynamic Adaptive Streaming over HTTP)の規格に準拠したMPD(Media Presentation Description)を含んでいる
（１）乃至（７）のいずれか一項に記載の受信装置。
（９）
前記第１のシグナリング情報は、前記IP伝送方式におけるプロトコルの階層のうち、IP層よりも上位の階層で伝送され、
特定のサービスを構成する前記放送コンポーネントと、前記第１のシグナリング情報には、共通のIPアドレスが割り当てられる
（１）乃至（８）のいずれか一項に記載の受信装置。
（１０）
受信装置の受信方法において、
前記受信装置が、
IP伝送方式を用いたデジタル放送の放送波を受信し、
前記デジタル放送の放送波で伝送される放送コンポーネントのみを管理するための情報であって、前記デジタル放送の放送波で伝送される第１のシグナリング情報、又は、前記放送コンポーネント及び通信で伝送される通信コンポーネントの少なくとも一方のコンポーネントを管理するための情報であって、通信で伝送される第２のシグナリング情報に基づいて、前記放送コンポーネント及び前記通信コンポーネントの少なくとも一方のコンポーネントを取得するための各部の動作を制御する
ステップを含む受信方法。
（１１）
IP伝送方式を用いたデジタル放送の放送波で伝送される放送コンポーネントのみを管理するための第１のシグナリング情報を取得する第１の取得部と、
サービスを構成する１又は複数の放送コンポーネントを取得する第２の取得部と、
前記放送コンポーネントとともに、前記第１のシグナリング情報を、IP伝送方式を用いたデジタル放送の放送波で送信する送信部と
を備える送信装置。
（１２）
前記第１のシグナリング情報は、サービス単位の情報であって、FLUTEセッションで伝送される前記放送コンポーネントを取得するための複数の管理情報を含んでいる
（１１）に記載の送信装置。
（１３）
前記第１のシグナリング情報は、サービス単位の情報であって、FLUTEセッションで伝送される前記放送コンポーネントを取得するための複数の管理情報を、コンポーネントのレベルで規定されたパラメータとして集約した１つの管理情報を含んでいる
（１１）に記載の送信装置。
（１４）
前記IP伝送方式を用いたデジタル放送の放送波を受信する受信機は、前記放送コンポーネント及び通信で伝送される通信コンポーネントの少なくとも一方のコンポーネントを管理するため情報であって、通信で伝送される第２のシグナリング情報を取得可能であって、
前記第１のシグナリング情報及び前記第２のシグナリング情報は、前記第２のシグナリング情報に関する情報を、サービスのレベルでのパラメータとして規定している管理情報を含んでいる
（１１）乃至（１３）のいずれか一項に記載の送信装置。
（１５）
前記管理情報は、前記第２のシグナリング情報に関する情報として、シグナリング情報の範囲を示す情報、バージョン情報、及び、取得先を示すURLを含んでいる
（１４）に記載の送信装置。
（１６）
前記管理情報は、前記第２のシグナリング情報に関する情報として、前記第２のシグナリング情報の更新間隔を示す情報をさらに含む
（１５）に記載の送信装置。
（１７）
前記管理情報は、前記第２のシグナリング情報に関する情報として、前記第２のシグナリング情報の取得終了のタイミングを示す情報をさらに含む
（１５）又は（１６）に記載の送信装置。
（１８）
前記第２のシグナリング情報は、サービス単位の情報であって、前記放送コンポーネントを取得するための複数の管理情報と、前記通信コンポーネントを取得するための管理情報として、MPEG-DASHの規格に準拠したMPDを含んでいる
（１４）乃至（１７）のいずれか一項に記載の送信装置。
（１９）
前記第１のシグナリング情報は、前記IP伝送方式におけるプロトコルの階層のうち、IP層よりも上位の階層で伝送され、
特定のサービスを構成する前記放送コンポーネントと、前記第１のシグナリング情報には、共通のIPアドレスが割り当てられる
（１１）乃至（１８）のいずれか一項に記載の送信装置。
（２０）
送信装置の送信方法において、
前記送信装置が、
IP伝送方式を用いたデジタル放送の放送波で伝送される放送コンポーネントのみを管理するための第１のシグナリング情報を取得し、
サービスを構成する１又は複数の放送コンポーネントを取得し、
前記放送コンポーネントとともに、前記第１のシグナリング情報を、IP伝送方式を用いたデジタル放送の放送波で送信する
ステップを含む送信方法。
【符号の説明】
【０２９３】
１  放送通信システム，  １０  データ提供サーバ，  ２０  送信装置，  ３０  ストリーミングサーバ，  ４０  シグナリングサーバ，  ６０  受信装置，  ９０  インターネット，  ２０１  通信部，  ２０２  セグメントデータ生成部，  ２０３  シグナリング情報生成部，  ２０４  Mux，  ２０５  送信部，  ６０１  制御部，  ６０２  NVRAM，  ６０４  チューナ，  ６０５  Demux，  ６０６  ビデオ選択部，  ６０７  オーディオ選択部，  ６０８  通信部，  ６０９  Demux，  ６１０  ビデオデコーダ，  ６１１  ビデオ出力部，  ６１２  オーディオデコーダ，  ６１３  オーディオ出力部，  ９００  コンピュータ，  ９０１  CPU
【図１】
2019161656.tif 000003
【図２】
2019161656.tif 000004
【図３】
2019161656.tif 000005
【図４】
2019161656.tif 000006
【図５】
2019161656.tif 000007
【図６】
2019161656.tif 000008
【図７】
2019161656.tif 000009
【図８】
2019161656.tif 000010
【図９】
2019161656.tif 000011
【図１０】
2019161656.tif 000012
【図１１】
2019161656.tif 000013
【図１２】
2019161656.tif 000014
【図１３】
2019161656.tif 000015
【図１４】
2019161656.tif 000016
【図１５】
2019161656.tif 000017
【図１６】
2019161656.tif 000018
【図１７】
2019161656.tif 000019
【図１８】
2019161656.tif 000020
【図１９】
2019161656.tif 000021
【図２０】
2019161656.tif 000022
【図２１】
2019161656.tif 000023
【図２２】
2019161656.tif 000024
【図２３】
2019161656.tif 000025
【図２４】
2019161656.tif 000026
【図２５】
2019161656.tif 000027
【図２６】
2019161656.tif 000028
【図２７】
2019161656.tif 000029
【図２８】
2019161656.tif 000030
【図２９】
2019161656.tif 000031
【図３０】
2019161656.tif 000032
【図３１】
2019161656.tif 000033
【図３２】
2019161656.tif 000034
【図３３】
2019161656.tif 000035
【図３４】
2019161656.tif 000036
【図３５】
2019161656.tif 000037
【図３６】
2019161656.tif 000038
【図３７】
2019161656.tif 000039
【図３８】
2019161656.tif 000040
【図３９】
2019161656.tif 000041
【図４０】
2019161656.tif 000042
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
受信装置の受信方法において、
前記受信装置が、
所定の伝送方式を用いたデジタル放送の放送波を受信し、
前記デジタル放送の放送波で伝送される放送コンポーネントに関する制御情報であって前記デジタル放送の放送波で伝送される第１のシグナリング情報、及び、通信で伝送される通信コンポーネントに関する制御情報であって通信で伝送される第２のシグナリング情報を取得し、
前記第１のシグナリング情報に基づいて前記放送コンポーネント、前記第２のシグナリング情報に基づいて前記通信コンポーネントを取得する
ステップを含み、
前記放送コンポーネントは、ビデオ、オーディオ、及び字幕のデータのうち、少なくとも１つのデータを含み、
前記通信コンポーネントは、ビデオ、オーディオ、及び字幕のデータのうち、少なくとも１つのデータを含む
受信方法。
【請求項２】
前記所定の伝送方式は、IP(Internet Protocol)方式である
請求項１に記載の受信方法。
【請求項３】
送信装置の送信方法において、
前記送信装置が、
所定の伝送方式を用いたデジタル放送の放送波で伝送される放送コンポーネントに関する制御情報である第１のシグナリング情報と、１又は複数の放送コンポーネントを、前記所定の伝送方式を用いたデジタル放送の放送波で送信する
ステップを含み、
前記放送コンポーネントは、ビデオ、オーディオ、及び字幕のデータのうち、少なくとも１つのデータを含み、
前記放送コンポーネントは、通信で伝送される通信コンポーネントに関する制御情報であって通信で伝送される第２のシグナリング情報と、前記通信コンポーネントを取得する受信装置によって取得される
送信方法。
【手続補正３】
【補正対象書類名】明細書
【補正対象項目名】０００１
【補正方法】変更
【補正の内容】
【０００１】
本技術は、受信方法、及び、送信方法に関し、特に、放送で伝送されるシグナリング情報のデータサイズの増大を抑えることができるようにした受信方法、及び、送信方法に関する。
【手続補正４】
【補正対象書類名】明細書
【補正対象項目名】０００６
【補正方法】変更
【補正の内容】
【０００６】
本技術の第１の側面の受信方法は、受信装置の受信方法において、前記受信装置が、所定の伝送方式を用いたデジタル放送の放送波を受信し、前記デジタル放送の放送波で伝送される放送コンポーネントに関する制御情報であって前記デジタル放送の放送波で伝送される第１のシグナリング情報、及び、通信で伝送される通信コンポーネントに関する制御情報であって通信で伝送される第２のシグナリング情報を取得し、前記第１のシグナリング情報に基づいて前記放送コンポーネント、前記第２のシグナリング情報に基づいて前記通信コンポーネントを取得するステップを含み、前記放送コンポーネントは、ビデオ、オーディオ、及び字幕のデータのうち、少なくとも１つのデータを含み、前記通信コンポーネントは、ビデオ、オーディオ、及び字幕のデータのうち、少なくとも１つのデータを含む受信方法である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本技術の第１の側面の受信方法においては、所定の伝送方式を用いたデジタル放送の放送波が受信され、前記デジタル放送の放送波で伝送される放送コンポーネントに関する制御情報であって前記デジタル放送の放送波で伝送される第１のシグナリング情報、及び、通信で伝送される通信コンポーネントに関する制御情報であって通信で伝送される第２のシグナリング情報が取得され、前記第１のシグナリング情報に基づいて前記放送コンポーネント、前記第２のシグナリング情報に基づいて前記通信コンポーネントが取得される。また、前記放送コンポーネントには、ビデオ、オーディオ、及び字幕のデータのうち、少なくとも１つのデータが含まれ、前記通信コンポーネントには、ビデオ、オーディオ、及び字幕のデータのうち、少なくとも１つのデータが含まれる。
【手続補正８】
【補正対象書類名】明細書
【補正対象項目名】００１０
【補正方法】変更
【補正の内容】
【００１０】
本技術の第２の側面の送信方法は、送信装置の送信方法において、前記送信装置が、所定の伝送方式を用いたデジタル放送の放送波で伝送される放送コンポーネントに関する制御情報である第１のシグナリング情報と、１又は複数の放送コンポーネントを、前記所定の伝送方式を用いたデジタル放送の放送波で送信するステップを含み、前記放送コンポーネントは、ビデオ、オーディオ、及び字幕のデータのうち、少なくとも１つのデータを含み、前記放送コンポーネントは、通信で伝送される通信コンポーネントに関する制御情報であって通信で伝送される第２のシグナリング情報と、前記通信コンポーネントを取得する受信装置によって取得される送信方法である。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本技術の第２の側面の送信方法においては、所定の伝送方式を用いたデジタル放送の放送波で伝送される放送コンポーネントに関する制御情報である第１のシグナリング情報と、１又は複数の放送コンポーネントが、前記所定の伝送方式を用いたデジタル放送の放送波で送信される。また、前記放送コンポーネントには、ビデオ、オーディオ、及び字幕のデータのうち、少なくとも１つのデータが含まれ、前記放送コンポーネントは、通信で伝送される通信コンポーネントに関する制御情報であって通信で伝送される第２のシグナリング情報と、前記通信コンポーネントを取得する受信装置によって取得される。